(57)【要約】【課題】基本的な構成から種々の形態の立体構造物を構築すること。【解決手段】立体構造物は、４個の支柱を単位支柱ＰＵ１として構成され、少なくとも１個の支持フレーム１４が単位支柱ＰＵ１の水平横方向の内側面間に支持金具１０及び／又は１２を介して支持される。支柱２、４、６及び８の各々において、第１側面対には、第１水平取付穴１８が、下端から上方に一定の距離を有する基準位置に形成されかつ更に上方に一定のピッチで複数個形成され、第２側面対には、第２水平取付穴２０が、長手方向に第１水平取付穴１８の各々と同じピッチでかつそれぞれ第１水平取付穴１８の各々間の中央の高さ位置に形成される。【選択図】図１
2012012773.tif 000002
【特許請求の範囲】
【請求項１】
分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱の水平横方向の内側面間に支持金具を介して支持される少なくとも１個の支持フレームとを備え、
支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、
水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、
支持金具は、上面に鉛直支持ピンを有する水平支持板部と、水平支持板部の一側から垂下しかつ水平取付穴を有する鉛直締結板部とを備えかつ、単位支柱において水平横方向に対向する支柱の各対において所定の高さ位置で水平横方向に向き合う第１又は第２水平取付穴に鉛直締結板部の水平取付穴が該支柱の各々の該内側面から整合されてねじ部材により締結され、
支持フレームは、平面矩形の輪郭と矩形横断面を有する周縁フレームであって４個の角部に鉛直被支持穴が形成された周縁フレームを備えかつ、鉛直被支持穴の各々が支持金具の各々の鉛直支持ピンに挿入されることにより水平支持板部の各々の上面に水平に支持される、
ことを特徴とする立体構造物。
【請求項２】
分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱において、水平縦方向に対向する支柱の各対の水平縦方向の内側面間にそれぞれ第１支持金具を介して支持される水平縦梁であって、両端部に鉛直被支持穴が、中間部に水平取付穴がそれぞれ形成された水平縦梁、水平縦方向の一方側において水平横方向に対向する２個の支柱の水平横方向の内側面間にそれぞれ第２支持金具を介して支持される水平横梁であって、両端部に鉛直被支持穴が、中間部に水平取付穴がそれぞれ形成された水平横梁、及び水平横梁と２個の水平縦梁と水平縦方向の他方側において水平横方向に対向する２個の支柱とにより囲まれた平面矩形状の空間内に配置されて支持される支持フレームとを備え、
支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、
水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、
第１及び第２支持金具は、上面に鉛直支持ピンを有する水平支持板部と、水平支持板部の一側から垂下しかつ水平取付穴を有する鉛直締結板部とを備え、第１支持金具の鉛直締結板部の鉛直長さは、第２支持金具の鉛直締結板部の鉛直長さよりも長く形成され、
単位支柱において水平縦方向に対向する支柱の各対において所定の高さ位置で水平縦方向に向き合う第２又は第１水平取付穴に第１支持金具の鉛直締結板部の水平取付穴が該支柱の各々の該内側面から整合されてねじ部材により締結され、水平縦梁の各々は、各々の鉛直被支持穴が対応する第１支持金具の鉛直支持ピンに上方から挿入されて水平に支持され、
単位支柱において水平横方向に対向する支柱の各対において該第２又は第１水平取付穴よりも半ピッチ上方の高さ位置において水平横方向に向き合う第１又は第２水平取付穴に第２支持金具の鉛直締結板部の水平取付穴が該２個の支柱の内側面から整合されてねじ部材により締結され、水平横梁は、その鉛直被支持穴が水平縦方向の該一方側において水平横方向に対向する２個の支柱に締結された第２支持金具の鉛直支持ピンに上方から挿入されて水平に支持され、
支持フレームは、平面矩形の輪郭と矩形横断面を有する周縁フレームであって少なくとも水平縦方向の他方側の２個の角部に鉛直被支持穴が形成されかつ４辺に水平取付穴が形成された周縁フレームを備えかつ、鉛直被支持穴の各々が水平縦方向の該他方側に位置する２個の支柱に締結された第２支持金具の鉛直支持ピンに上方から挿入されて支持されると共に、水平横梁と２個の水平縦梁との内側に位置する周縁フレームが、それぞれの水平取付穴が整合されて水平横梁と２個の水平縦梁とにねじ部材により締結されて水平に支持される、
ことを特徴とする立体構造物。
【請求項３】
分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱において、水平縦方向に対向する支柱の各対の水平縦方向の内側面間にそれぞれ第１支持金具を介して支持される水平縦梁であって両端部に鉛直被支持穴が、中間部に水平取付穴がそれぞれ形成された水平縦梁、水平横方向に対向する支柱の各対の水平横方向の内側面間にそれぞれ第２支持金具を介して支持される水平横梁であって両端部に鉛直被支持穴が、中間部に水平取付穴がそれぞれ形成された水平横梁、及びそれぞれ２個の水平横梁及び水平縦梁に囲まれた平面矩形状の空間内に配置されて支持される支持フレームとを備え、
支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、
水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、
第１及び第２支持金具は、上面に鉛直支持ピンを有する水平支持板部と、水平支持板部の一側から垂下しかつ水平取付穴を有する鉛直締結板部とを備え、第１支持金具の鉛直締結板部の鉛直長さは、第２支持金具の鉛直締結板部の鉛直長さよりも長く形成され、
単位支柱において水平縦方向に対向する支柱の各対において所定の高さ位置で水平縦方向に向き合う第２又は第１水平取付穴に第１支持金具の鉛直締結板部の水平取付穴が該支柱の各々の該内側面から整合されてねじ部材により締結され、水平縦梁の各々は、各々の鉛直被支持穴が対応する第１支持金具の鉛直支持ピンに上方から挿入されて水平に支持され、
単位支柱において水平横方向に対向する支柱の各対において該第２又は第１水平取付穴よりも半ピッチ上方の高さ位置において水平横方向に向き合う第１又は第２水平取付穴に第２支持金具の鉛直締結板部の水平取付穴が該２個の支柱の内側面から整合されてねじ部材により締結され、水平横梁の各々は、その鉛直被支持穴が水平横方向に対向する支柱の各対に締結された第２支持金具の鉛直支持ピンに上方から挿入されて水平に支持され、
支持フレームは、平面矩形の輪郭と矩形横断面を有する周縁フレームであって４個の角部に鉛直被支持穴が形成されかつ４辺に水平取付穴が形成された周縁フレームを備え、
支持フレームの、それぞれ２個の水平横梁及び水平縦梁の内側に位置する周縁フレームは、それぞれ２個の水平横梁及び水平縦梁にねじ部材により締結される、
ことを特徴とする立体構造物。
【請求項４】
単位支柱において、水平横方向に対向する少なくとも一対の支柱間には、矩形ブレースユニット及び／又はＸ形ブレースユニットが分離可能に固着される、及び／又は、水平縦方向に対向する一対の支柱間又は二対の支柱間には、矩形ブレースユニット及び／又はＸ形ブレースユニットが分離可能に固着される、請求項１〜３のいずれか1項に記載の立体構造物。
【請求項５】
矩形ブレースユニットは、水平方向に間隔をおいて上下方向に平行に延在する一対の取付縦フレームと、上下方向に間隔をおいて取付縦フレームの上端部及び下端部間をそれぞれ平行に延在する上横フレーム及び下横フレームと、下横フレームの水平方向両端部からそれぞれ相互に接近する方向である斜め上方に傾斜して延びて上横フレームに接続される傾斜フレームと、上横フレームの、傾斜フレームの各々が接続された位置の直水平方向中央側から直角に下横フレームまで延びる少なくとも１個の中間縦フレームとを備え、
取付縦フレームの各々は、一定の幅で上下方向に延在する縦長矩形状の底板と底板の両側から底板の片面方向に相互に直角にかつ平行に延び出す側板とからなるチャンネル板と、チャンネル板の底板の上下方向両端部中央からそれぞれ底板の該片面方向に直角に延び出す係止ピンと、チャンネル板の側板の各々の上下方向両端部に配設されてチャンネル板の開放端の一部領域を開閉する開閉機構とを備え、
上横フレーム及び下横フレームは、それぞれ取付縦フレームの各々におけるチャンネル板の側板の一方であって水平方向内側において対向する側板の一方の各々の上端部及び下端部に接続され、
取付縦フレームの各々におけるチャンネル板の側板の各々の間隔は、対応する支柱に対し水平方向から離脱可能に嵌合しうるよう設定され、係止ピンの各々は、対応する支柱の第１水平取付穴又は第２水平取付穴の１ピッチ又は複数ピッチの間隔を有すると共に第１水平取付穴又は第２水平取付穴に離脱可能に嵌合しうるよう設定され、
取付縦フレームの各々におけるチャンネル板の底板に設けられた係止ピンの各々は、側板の各々の先端を越えて延び出し、
取付縦フレームの各々に配設された開閉機構は、取付縦フレームの各々におけるチャンネル板の側板の一方の上下方向両端部から水平方向内側に直角に延び出すフランジ部と、フランジ部に係止ピンと平行な軸回りに回動可能に支持された開閉レバー板と、側板の他方の上下方向両端部から延び出すフック部と、係止ピンの先端部の上面を接線方向に延在する係止溝とを備え、
開閉機構の各々において、開閉レバー板は、その下端部が係止ピンの係止溝及びフック部に上方から嵌合してチャンネル板の開放端の一部領域を横切って閉じる閉位置と、係止ピンの係止溝及びフック部から上方に離脱してチャンネル板の開放端の一部領域を開放する開位置とに該軸回りに回動可能であり、
取付縦フレームの各々が対応する支柱に嵌合され、係止ピンの各々が対応する第１水平取付穴又は第２水平取付穴に嵌合され、開閉機構の各々の開閉レバー板が閉位置に位置付けられた状態で、取付縦フレームのチャンネル板と開閉レバー板とが対応する支柱の全周を囲むよう位置付けられて、矩形ブレースユニットは対応する支柱に固着される、請求項４記載の立体構造物。
【請求項６】
Ｘ形ブレースユニットは、相互に長手方向中央部で軸部材を介して相対回動可能に連結された、同じ長さの金属管からなる２個のロッド部材であって、各々の両端部に軸部材と平行な軸線を有する一対の被係止穴が形成された２個のロッド部材と、ロッド部材の各々の先端部に連結された取付ブラケットとを備え、
取付ブラケットは、一定の幅で上下方向に延在しかつ取付穴が形成された縦長矩形状の底板と底板の両側から底板の片面方向に相互に直角にかつ平行に延び出す側板とからなるチャンネル形状をなし、ロッド部材の各々の先端部は、取付ブラケットの側板間に挿入されて相対回動可能に連結され、
取付ブラケットの各々が対応する支柱に嵌合され、取付穴が対応する第１水平取付穴又は第２水平取付穴に整合されてねじ部材により締結されることにより、Ｘ形ブレースユニットは、２個のロッド部材が軸部材を中心としてＸ形に回動された状態で対応する支柱に固着され、
ロッド部材の各々の先端部には弾性係止部材が離脱可能に取り付けられ、弾性係止部材の各々は、帯状の板ばねと、板ばねの両端部からそれぞれ同じ片面側に延び出す係止ピンとを備えかつ、係止ピンが相互に反対方向に向くように板ばねが中央からＵ形に折り曲げられた状態でロッド部材の各々の先端部に挿入されて係止ピンの各々が板ばねの弾性力によりロッド部材の各々の被係止穴に半径方向内側から挿入されて外側に突出するよう係止され、
取付ブラケットの側板の各々には共通の軸線を有する被係止穴が形成され、
ロッド部材の各々の先端部が、取付ブラケットの側板間に挿入されて、被係止穴の各々から外側に突出する係止ピンの各々が板ばねの弾性力により側板の各々の対応する被係止穴に内側から挿入されて外側に突出するよう係止されることにより、取付ブラケットの各々は、対応するロッド部材の先端部に弾性係止部材を介して離脱可能に取り付けられる、請求項４記載の立体構造物。
【請求項７】
少なくとも１個の支柱の上端部には他の支柱の下端部が、連結手段を介して上方に延在するよう離脱可能に連結され、連結手段は、矩形横断面を有する金属製の連結管であって支柱の上端部と他の支柱の下端部に分離可能に挿入可能な連結管と、少なくとも２個の固定金具とを備え、
連結管において、長手方向中央部には、半径方向寸法が拡大された拡径部が全周にわたって一定の長手方向幅で配設され、拡径部を挟んだ上方領域及び下方領域において相互に対向する第１側面対には、第１水平連結穴が、拡径部の上端及び下端からそれぞれ同じ距離の上方位置及び下方位置に形成され、相互に対向する第２側面対には、第２水平連結穴が、該第１水平連結穴に対しそれぞれ該支柱の第１水平取付穴の各々の半ピッチに相当する距離だけ上方及び下方の高さ位置に１個づつ形成され、
支柱の最上端部に形成された第１又は第２水平取付穴と支柱の上端との距離及び他の支柱の最下端部に形成された第１又は第２水平取付穴と他の支柱の下端との距離は、それぞれ連結管の拡径部を挟んだ下方領域及び上方領域に形成された第１水平連結穴の各々と拡径部の下端及び上端との距離と同じに設定され、
固定金具の各々は、矩形状の底板と底板の両側から底板の片面方向に相互に直角にかつ平行に延び出す側板とからなるチャンネル板と、底板の中央部からそれぞれ底板の該片面方向に直角に延び出すロックピンと、側板の各々の先端部に配設されてチャンネル板の開放端の一部領域を開閉する開閉機構とを備え、側板の各々の間隔は、対応する支柱に対し水平方向から離脱可能に嵌合しうるよう設定され、側板の一方の全長は側板の他方の全長よりも短く形成され、ロックピンは、少なくとも側板の他方と同じ長さに設定され、開閉機構は、チャンネル板の側板の一方から側板の他方と反対方向に直角に延び出すフランジ部と、フランジ部にロックピンと平行な軸回りに回動可能に支持された開閉レバー板と、側板の他方の先端部における上端から下端に向かって延在する側板係止溝と、ロックピンの先端部の上面を接線方向に延在するロックピン係止溝とを備え、開閉レバー板は、その下端部がロックピン係止溝及び側板係止溝に上方から嵌合してチャンネル板の開放端の一部領域を横切って閉じる閉位置と、ロックピン係止溝及び側板係止溝から上方に離脱してチャンネル板の開放端の一部領域を開放する開位置とに該軸回りに回動可能であり、
支柱の上端部に連結手段の連結管の下方領域が挿入され、拡径部が支柱の上端に当接して挿入位置が設定されかつ、連結管の第１水平連結穴が、支柱の上端部の第１又は第２水平取付穴に整合され、第２水平連結穴が、支柱の該第１又は第２水平取付穴の直下方の高さ位置に形成された第２又は第１水平連結穴に整合され、
連結管の上方領域に他の支柱の下端部が挿入されて下端が連結管の拡径部の上端に当接して挿入位置が設定されかつ他の支柱の下端部に形成された第１又は第２水平取付穴が連結管の上方領域に形成された第１水平連結穴に整合され、他の支柱の該第１又は第２水平取付穴の直上方の高さ位置に形成された第２又は第１水平取付穴が連結管の上方領域に形成された第２水平取付穴に整合され、
固定金具の各々は、チャンネル板が支柱の上端部及び他の支柱の下端部に嵌合され、ロックピンが少なくとも対応する第１又は第２水平取付穴及び第１水平連結穴に嵌合され、開閉機構の各々の開閉レバー板が閉位置に位置付けられた状態で、チャンネル板と開閉レバー板とが支柱の上端部及び他の支柱の下端部における全周を囲むよう位置付けられて固定され、支柱と他の支柱とが連結手段を介して連結される、請求項１〜３のいずれか１項に記載の立体構造物。
【請求項８】
少なくとも１個の支柱の下端部は、矩形横断面を有する金属管からなる補助支柱に対し上方から嵌合されて少なくとも２個の固定金具を介して分離可能に連結され、補助支柱の横断面の大きさは、該支柱の内側に相対的に挿入・嵌合される、又は該支柱の外面を覆うよう相対的に嵌合される大きさに設定され、補助支柱の相互に対向する第１側面対には第１水平連結穴が、また相互に対向する第２側面対には第２水平連結穴が、それぞれ支柱の第１水平取付穴及び第２水平取付穴に整合するよう形成され、
固定金具の各々は、矩形状の底板と底板の両側から底板の片面方向に相互に直角にかつ平行に延び出す側板とからなるチャンネル板と、底板の中央部からそれぞれ底板の該片面方向に直角に延び出すロックピンと、側板の各々の先端部に配設されてチャンネル板の開放端の一部領域を開閉する開閉機構とを備え、側板の各々の間隔は、対応する支柱に対し水平方向から離脱可能に嵌合しうるよう設定され、側板の一方の全長は側板の他方の全長よりも短く形成され、ロックピンは、少なくとも側板の他方と同じ長さに設定され、開閉機構は、チャンネル板の側板の一方から側板の他方と反対方向に直角に延び出すフランジ部と、フランジ部にロックピンと平行な軸回りに回動可能に支持された開閉レバー板と、側板の他方の先端部における上端から下端に向かって延在する側板係止溝と、ロックピンの先端部の上面を接線方向に延在するロックピン係止溝とを備え、開閉レバー板は、その下端部がロックピン係止溝及び側板係止溝に上方から嵌合してチャンネル板の開放端の一部領域を横切って閉じる閉位置と、ロックピン係止溝及び側板係止溝から上方に離脱してチャンネル板の開放端の一部領域を開放する開位置とに該軸回りに回動可能であり、
支柱の下端部が補助支柱に上方から嵌合されかつ各々の第１水平取付穴及び第２水平取付穴がそれぞれ補助支柱の第１水平連結穴及び第２水平連結穴に整合された状態で、固定金具の各々は、チャンネル板が相互に嵌合された支柱又は補助支柱に嵌合され、各々のロックピンが相互に整合された第１水平取付穴及び第１水平連結穴、第２水平取付穴及び第２水平連結穴に嵌合され、開閉機構の各々の開閉レバー板が閉位置に位置付けられた状態で、チャンネル板と開閉レバー板とが相互に嵌合された支柱又は補助支柱の全周を囲むよう位置付けられて固定され、支柱と補助支柱とが固定金具を介して連結される、請求項１〜３のいずれか１項に記載の立体構造物。
【発明の詳細な説明】
【技術分野】
【０００１】
本発明は、４個の支柱を単位として構成される複数個の支柱と、単位支柱に支持金具を介して支持される少なくとも１個の支持フレームとを備えた立体構造物であって、種々の形態を容易に構築可能な立体構造物に関する。
【背景技術】
【０００２】
地面に埋められかつ平面矩形状に配列された６個の台と、６個の台からそれぞれ直立する支柱と、支柱の上端に配設された棚とからなる立体構造物は、例えば特許文献１に開示されている。支柱と棚とは、複数のつなぎ板（ブレース）がボルトにより締結されることにより相互に固定される。
【先行技術文献】
【特許文献】
【０００３】
【特許文献１】実開平０５−０４８６５５号公報
【発明の概要】
【発明が解決しようとする課題】
【０００４】
しかしながら、特許文献１に開示された上記立体構造物は、果実などの棚として利用されるが、その全体構成が果実などの棚として特定されている。このため、基本的な構成を利用して、種々の形態の立体構造物、例えば、屋内外で利用される多段式の棚、観覧席、足場軸組、コンクリート型枠軸組、ステージなどを構築しかつ、組み立て、分解及び移設を容易かつ迅速に行なうことは不可能である。
【０００５】
本発明の主目的は、基本的な構成を利用して、種々の形態の立体構造物を構築することを可能にするとともに、組み立て、分解及び移設を容易かつ迅速に行なうことを可能にする、新規な立体構造物を提供することである。
【課題を解決するための手段】
【０００６】
本発明の一局面によれば、分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱の水平横方向の内側面間に支持金具を介して支持される少なくとも１個の支持フレームとを備え、支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、支持金具は、上面に鉛直支持ピンを有する水平支持板部と、水平支持板部の一側から垂下しかつ水平取付穴を有する鉛直締結板部とを備えかつ、単位支柱において水平横方向に対向する支柱の各対において所定の高さ位置で水平横方向に向き合う第１又は第２水平取付穴に鉛直締結板部の水平取付穴が該支柱の各々の該内側面から整合されてねじ部材により締結され、支持フレームは、平面矩形の輪郭と矩形横断面を有する周縁フレームであって４個の角部に鉛直被支持穴が形成された周縁フレームを備えかつ、鉛直被支持穴の各々が支持金具の各々の鉛直支持ピンに挿入されることにより水平支持板部の各々の上面に水平に支持される、ことを特徴とする立体構造物、が提供される。
支持フレームの周縁フレームの４個の角部において、鉛直被支持穴に対しそれぞれ水平横方向内側位置及び水平縦方向内側位置における相互に同じ高さ位置には、それぞれ水平縦方向及び水平横方向に延在する水平取付穴が形成され、支持フレームが単位支柱に支持された状態において、支持フレームの周縁フレームにおける水平縦方向外側面の各々は、各々の水平横方向外側に位置する支柱の各々の水平縦方向外側面と共通の鉛直面上に位置付けられかつ水平横方向外側面の各々は、各々の水平横方向外側に位置する支柱の各々の水平横方向内側面と共通の鉛直面上に位置付けられ、更に支持フレームの周縁フレームの４個の角部の水平取付穴の各々は、支柱の各々の水平縦方向に延在する第２又は第１水平取付穴であって、支持金具の鉛直締結板部の水平取付穴が整合された第１又は第２水平取付穴よりも半ピッチ上方の高さ位置の第２又は第１水平取付穴と同じ高さに位置付けられ、単位支柱と支持フレームの周縁フレームの４個の角部との間にはそれぞれ第１ブレース板及び第２ブレース板が締結される、ことが好ましい。
第１ブレース板は、直角三角形の平板であって３個の角部にそれぞれ１個の取付穴が形成された直角三角形の平板からなり、４個の第１ブレース板が、それぞれ支持フレームの４個の角部における水平縦方向外側面と支持フレームの水平横方向外側に位置する支柱の各々の水平縦方向外側面とを隣辺の各々に沿って直角に延在する領域が覆うよう重合され、第１ブレース板の各々の３個の取付穴が、それぞれ支持フレームの水平縦方向に延在する水平取付穴と、支柱の各々において該水平取付穴と同じ高さで水平縦方向に延在する第２又は第１水平取付穴と、該第２又は該第１水平取付穴に対し１ピッチ下方の高さ位置で水平縦方向に延在する第２又は第１水平取付穴とに整合されてそれぞれねじ部材により締結され、第２ブレース板は、直角三角形状平板部と、直角三角形状平板部の隣辺の一方から直角に延び出す縦長の矩形状平板部とからなり、直角三角形状平板部の隣辺の他方と斜辺とが交わる角部には１個の取付穴が形成され、矩形状平板部の長手方向両端部にはそれぞれ１個の取付穴が形成され、４個の第２ブレース板が、それぞれ支持フレームの４個の角部における水平横方向外側面と該水平横方向外側面の水平横方向外側の支柱の水平縦方向内側面とを直角三角形状平板部の隣辺の他方に沿った水平領域及び矩形状平板部が覆うよう重合され、第２ブレース板の各々の直角三角形状平板部の取付穴がそれぞれ支持フレームの水平横方向に延在する水平取付穴に整合されてそれぞれねじ部材により締結され、かつ矩形状平板部の取付穴の各々が、支柱の各々において該水平取付穴と同じ高さ位置で水平縦方向に延在する第２又は第１水平取付穴と、該第２又は該第１水平取付穴に対し１ピッチ下方の高さ位置で水平縦方向に延在する第２又は第１水平取付穴とに整合されてそれぞれ第１ブレース板を締結する前記ねじ部材により第１ブレース板と共締めされる、ことが好ましい。
単位支柱の水平横方向の一方に支柱を２個増設することにより、該単位支柱の水平横方向の該一方には、水平横方向の中間位置で水平縦方向に対向する２個の支柱が共用される他の単位支柱が増設され、水平横方向に隣り合う単位支柱の各々間の同じ高さ位置にそれぞれ支持フレームが支持され、共用される該２個の支柱の各々における水平横方向両側には、該両側を挟んで位置する支持フレームの各々の水平横方向の一端部を支持する支柱金具の鉛直締結板部が、各々の水平取付穴が該２個の支柱において該所定の高さで水平横方向に延在する第１又は第２水平取付穴の水平横方向両側から整合されて、ねじ部材により共締めされる、ことが好ましい。
支持フレームの周縁フレームの４個の角部において、鉛直被支持穴に対しそれぞれ水平横方向内側及び水平縦方向内側位置における相互に同じ高さ位置には、それぞれ水平縦方向及び水平横方向に延在する水平取付穴が形成され、支持フレームがそれぞれ単位支柱間の同じ高さ位置に支持された状態において、支持フレームの各々の周縁フレームにおける水平縦方向外側面は、それぞれ支持フレームの水平横方向外側に位置する支柱の各々の水平縦方向外側面と共通の鉛直面上に位置付けられかつ水平横方向外側面は、それぞれ該支柱の各々の水平横方向内側面と共通の鉛直面上に位置付けられ、更に支持フレームの各々の周縁フレームの４個の角部の水平取付穴の各々は、単位支柱の水平縦方向に延在する第２又は第１水平取付穴であって、支持金具の鉛直締結板部の水平取付穴が整合された第１又は第２水平取付穴よりも半ピッチ上方の高さ位置の第２又は第１水平取付穴と同じ高さに位置付けられ、水平横方向の他方における他端において水平縦方向に間隔をおいて位置する２個の支柱と該２個の支柱を含む単位支柱に支持された支持フレームの周縁フレームの水平横方向の該他端側の２個の角部との間及び水平横方向の該一方における一端において水平縦方向に間隔をおいて位置する２個の支柱と該２個の支柱を含む単位支柱に支持された支持フレームの周縁フレームの水平横方向の該一端側の２個の角部との間には、それぞれ第１ブレース板及び第２ブレース板が締結され、共用される該２個の支柱と該２個の支柱の水平横方向両側に支持された支持フレームの各々の２個の角部との間には、それぞれ第３ブレース板及び第４ブレース板が締結される、ことが好ましい。
第１ブレース板は、直角三角形の平板であって３個の角部にそれぞれ１個の取付穴が形成された直角三角形の平板からなり、水平横方向の該他端及び該一端においてそれぞれ２個の第１ブレース板が、それぞれ該支持フレームの２個の角部における水平縦方向外側面と該２個の支柱の各々の水平縦方向外側面とを隣辺の各々に沿って直角に延在する領域が覆うよう重合され、第１ブレース板の各々の３個の取付穴が、それぞれ該支持フレームの水平縦方向に延在する水平取付穴と、該２個の支柱の各々において該水平取付穴と同じ高さで水平縦方向に延在する第２又は第１水平取付穴と、該第２又は該第１水平取付穴に対し１ピッチ下方の高さ位置で水平縦方向に延在する第２又は第１水平取付穴とに整合されてそれぞれねじ部材により締結され、第２ブレース板は、直角三角形状平板部と、直角三角形状平板部の隣辺の一方から直角に延び出す縦長の矩形状平板部とからなり、直角三角形状平板部の隣辺の他方と斜辺とが交わる角部には１個の取付穴が形成され、矩形状平板部の長手方向両端部にはそれぞれ１個の取付穴が形成され、水平横方向の該他端及び該一端においてそれぞれ２個の第２ブレース板が、それぞれ該支持フレームの２個の角部における水平横方向外側面と該２個の支柱の水平縦方向内側面とを直角三角形状平板部の隣辺の他方に沿った水平領域及び矩形状平板部が覆うよう重合され、第２ブレース板の各々の直角三角形状平板部の取付穴がそれぞれ該支持フレームの水平横方向に延在する水平取付穴に整合されてそれぞれねじ部材により締結され、かつ矩形状平板部の取付穴の各々が、該２個の支柱の各々において該水平取付穴と同じ高さ位置で水平縦方向に延在する第２又は第１水平取付穴と、該第２又は該第１水平取付穴に対し１ピッチ下方の高さ位置で水平縦方向に延在する第２又は第１水平取付穴とに整合されてそれぞれ前記ねじ部材により第１ブレース板と共締めされ、第３ブレース板は、二等辺三角形の平板であって頂角部、底角部の各々、及び底角部の各々間の中央にそれぞれ１個の取付穴が形成された二等辺三角形の平板からなり、２個の第３ブレース板が、共用される該２個の支柱の水平縦方向外側面と該２個の支柱の水平横方向両側に支持された該支持フレームの各々の２個の角部の水平縦方向外側面とを覆うよう重合され、第３ブレース板の各々の底角部の各々の取付穴がそれぞれ該支持フレームの各々の該２個の角部の水平縦方向に延在する水平取付穴に整合され、底角部の各々間の中央の取付穴がそれぞれ該２個の支柱において水平縦方向に延在する第２又は第１水平取付穴であって該支持フレームの各々の該水平取付穴と同じ高さに位置する第２又は第１水平取付穴に整合され、頂角部の取付穴が該２個の支柱の第２又は第１水平取付穴であって該２個の支柱の該第２又は第１水平取付穴に対し１ピッチ下方の高さ位置で水平縦方向に延在する第２又は第１水平取付穴に整合されてそれぞれねじ部材により締結され、第４ブレース板は、一定の幅で直線状に上下方向に延在する縦長の矩形状平板部と、矩形状平板部の両側から相互に間隔をおいて直角に延び出す一対の直角三角形状平板部であって相互に対称形状を有する一対の直角三角形状平板部とからなり、矩形状平板部の長手方向上端面と該上端面に連続する一対の直角三角形状平板部の隣辺の一方の端面とは共通の平面上に位置付けられ、一対の直角三角形状平板部における隣辺の該一方と斜辺とが交わる角部には１個の取付穴が形成され、矩形状平板部の上端部及び下端部にはそれぞれ１個の取付穴が形成され、２個の第４ブレース板が、共用される該２個の支柱の水平縦方向内側面と該２個の支柱の水平横方向両側に支持された該支持フレームの各々の２個の角部の水平横方向外側面とを覆うよう重合され、第４ブレース板の各々の矩形状平板部の上端部及び下端部の取付穴は、それぞれ第３ブレース板の各々における底角部の各々間の中央の取付穴及び頂角部の取付穴が整合される、共用される該２個の支柱の水平縦方向に延在する第２又は第１水平取付穴に整合されて、第３ブレース板の各々を締結する前記ねじ部材により共締めされ、直角三角形状平板部の各々の取付穴は、該２個の支柱の水平横方向両側に支持された該支持フレームの各々の２個の角部の水平横方向に延在する水平取付穴に整合されてねじ部材により締結される、ことが好ましい。
本発明の他の局面によれば、分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱において、水平縦方向に対向する支柱の各対の水平縦方向の内側面間にそれぞれ第１支持金具を介して支持される水平縦梁であって、両端部に鉛直被支持穴が、中間部に水平取付穴がそれぞれ形成された水平縦梁、水平縦方向の一方側において水平横方向に対向する２個の支柱の水平横方向の内側面間にそれぞれ第２支持金具を介して支持される水平横梁であって、両端部に鉛直被支持穴が、中間部に水平取付穴がそれぞれ形成された水平横梁、及び水平横梁と２個の水平縦梁と水平縦方向の他方側において水平横方向に対向する２個の支柱とにより囲まれた平面矩形状の空間内に配置されて支持される支持フレームとを備え、支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、第１及び第２支持金具は、上面に鉛直支持ピンを有する水平支持板部と、水平支持板部の一側から垂下しかつ水平取付穴を有する鉛直締結板部とを備え、第１支持金具の鉛直締結板部の鉛直長さは、第２支持金具の鉛直締結板部の鉛直長さよりも長く形成され、単位支柱において水平縦方向に対向する支柱の各対において所定の高さ位置で水平縦方向に向き合う第２又は第１水平取付穴に第１支持金具の鉛直締結板部の水平取付穴が該支柱の各々の該内側面から整合されてねじ部材により締結され、水平縦梁の各々は、各々の鉛直被支持穴が対応する第１支持金具の鉛直支持ピンに上方から挿入されて水平に支持され、単位支柱において水平横方向に対向する支柱の各対において該第２又は第１水平取付穴よりも半ピッチ上方の高さ位置において水平横方向に向き合う第１又は第２水平取付穴に第２支持金具の鉛直締結板部の水平取付穴が該２個の支柱の内側面から整合されてねじ部材により締結され、水平横梁は、その鉛直被支持穴が水平縦方向の該一方側において水平横方向に対向する２個の支柱に締結された第２支持金具の鉛直支持ピンに上方から挿入されて水平に支持され、支持フレームは、平面矩形の輪郭と矩形横断面を有する周縁フレームであって少なくとも水平縦方向の他方側の２個の角部に鉛直被支持穴が形成されかつ４辺に水平取付穴が形成された周縁フレームを備えかつ、鉛直被支持穴の各々が水平縦方向の該他方側に位置する２個の支柱に締結された第２支持金具の鉛直支持ピンに上方から挿入されて支持されると共に、水平横梁と２個の水平縦梁との内側に位置する周縁フレームが、それぞれの水平取付穴が整合されて水平横梁と２個の水平縦梁とにねじ部材により締結されて水平に支持される、ことを特徴とする立体構造物、が提供される。
単位支柱の水平横方向の一方及び水平縦方向の一方にそれぞれ支柱を２個増設することにより、該単位支柱の水平横方向の該一方には、水平横方向の中間位置で水平縦方向に対向する２個の支柱及び該２個の支柱間に支持された水平縦梁が共用される他の単位支柱が増設されかつ、該単位支柱の水平縦方向の該一方には、水平縦方向の中間位置で水平横方向に対向する２個の支柱及び該２個の支柱間に支持された水平横梁が共用される更に他の単位支柱が増設され、他の単位支柱間には、水平横梁、共用される水平縦梁を含む２個の水平縦梁及び支持フレームが、該単位支柱間に支持された水平横梁、共用される水平縦梁を含む２個の水平縦梁及び支持フレームと同じ高さ位置にかつ同じ形態で支持され、共用される該２個の支柱のうち水平縦方向の該一方側に位置する支柱の水平横方向両側には、該両側を挟んで位置して水平横梁の各々の一端部を支持する第２支柱金具の鉛直締結板部が、各々の水平取付穴が該支柱において該所定の高さ位置よりも半ピッチ上方の高さ位置で水平横方向に延在する第１又は第２水平取付穴の水平横方向両側から整合されてねじ部材により共締めされ、共用される該２個の支柱のうち水平縦方向の該他方側に位置する支柱の水平横方向両側には、該両側を挟んで位置して該支持フレームの各々の水平縦方向の該他方側の角部を支持する第２支柱金具の鉛直締結板部が、各々の水平取付穴が該支柱において該所定の高さ位置よりも半ピッチ上方の高さ位置で水平横方向に延在する第１又は第２水平取付穴の水平横方向両側から整合されてねじ部材により共締めされ、共用される該水平縦梁の水平横方向両側に位置する該支持フレームの各々における周縁フレームの１辺は、該水平縦梁にねじ部材により共締めされ、更に他の単位支柱間には、共用される水平横梁を含む２個の水平横梁、２個の水平縦梁及び支持フレームが、該単位支柱間に支持された共用される水平横梁、２個の水平縦梁及び支持フレームと同じ高さ位置に支持され、共用される該２個の支柱の水平縦方向両側には、該両側を挟んで位置して水平縦梁の各々の一端部を支持する第１支柱金具の鉛直締結板部が、各々の水平取付穴が該支柱において該所定の高さ位置で水平縦方向に延在する第２又は第１水平取付穴の水平縦方向両側から整合されてねじ部材により共締めされ、更に他の単位支柱の、水平横梁の各々及び水平縦梁の各々に囲まれた平面矩形状の空間内には支持フレームが配置され、該支持フレームの周縁フレームの３辺は、水平縦方向の該一方側に位置する水平横梁及び水平縦梁の各々にねじ部材により締結されかつ水平縦方向の該他方側に位置する１辺は、共用される該水平横梁に対し、該水平横梁の水平縦方向の該他方側に位置する、該単位支柱の支持フレームの周縁フレームの１辺とねじ部材により共締めされ、水平横方向の該一方に増設された他の単位支柱において増設された２個の支柱のうちの水平縦方向の該一方側に位置する支柱に対し水平縦方向の該一方側の位置でありかつ、水平縦方向の該一方に増設された更に他の単位支柱において増設された２個の支柱のうちの水平横方向の該一方側に位置する支柱に対し水平横方向の該一方側の位置に、１個の支柱を増設することにより、該単位支柱、他の単位支柱及び更に他の単位支柱において、増設された該１個の支柱に最も近い位置に存在するそれぞれ１個、合計３個の支柱が共用される更に他の単位支柱が増設され、１個の支柱の増設により増設される更に他の単位支柱は、該単位支柱と１個の支柱が共用されかつ他の単位支柱と２個の支柱及び水平横梁の一つが共用されかつ更に他の単位支柱と２個の支柱及び水平縦梁の一つが共用されると共に更に他の単位支柱と実質的に同じ高さ及び形態で、共用される水平横梁を含む２個の水平横梁、共用される水平縦梁を含む２個の水平縦梁及び支持フレームが支持され、１個の支柱の増設により増設される更に他の単位支柱において、共用される該３個の支柱のうち水平縦方向の該一方側に位置する支柱の水平横方向両側には、該両側を挟んで位置して水平横梁の各々の一端部を支持する第２支柱金具の鉛直締結板部が、各々の水平取付穴が該支柱において該所定の高さ位置よりも半ピッチ上方の高さ位置で水平横方向に延在する第１又は第２水平取付穴の水平横方向両側から整合されてねじ部材により共締めされ、水平横方向に隣り合う更に他の単位支柱において共用される該水平縦梁の水平横方向両側に位置する該支持フレームの各々における周縁フレームの１辺は、該水平縦梁にねじ部材により共締めされ、水平縦方向に隣り合う他の単位支柱と更に他の単位支柱において、共用される該２個の支柱のうち水平横方向の該一方側に位置する支柱の水平縦方向両側には、該両側を挟んで位置して水平縦梁の各々の一端部を支持する第１支柱金具の鉛直締結板部が、各々の水平取付穴が該支柱において該所定の高さ位置で水平縦方向に延在する第２又は第１水平取付穴の水平縦方向両側から整合されてねじ部材により共締めされ、他の単位支柱と共用される該水平横梁の水平縦方向両側に位置する該支持フレームの各々における周縁フレームの１辺は、該水平横梁にねじ部材により共締めされる、ことが好ましい。
本発明の更に他の局面によれば、分解可能に組み立てられる立体構造物であって、水平横方向及び該水平横方向に直交する水平縦方向にそれぞれ等間隔を置いて設置面上に直立される４個の支柱を単位支柱として構成されかつ矩形横断面を有する金属管からなる少なくとも４個の支柱と、単位支柱において、水平縦方向に対向する支柱の各対の水平縦方向の内側面間にそれぞれ第１支持金具を介して支持される水平縦梁であって両端部に鉛直被支持穴が、中間部に水平取付穴がそれぞれ形成された水平縦梁、水平横方向に対向する支柱の各対の水平横方向の内側面間にそれぞれ第２支持金具を介して支持される水平横梁であって両端部に鉛直被支持穴が、中間部に水平取付穴がそれぞれ形成された水平横梁、及びそれぞれ２個の水平横梁及び水平縦梁に囲まれた平面矩形状の空間内に配置されて支持される支持フレームとを備え、支柱の各々において、相互に対向する第１側面対には、第１水平取付穴が、下端から上方に一定の距離を有する基準位置に形成されかつ更に上方に一定のピッチで複数個形成され、相互に対向する第２側面対には、第２水平取付穴が、長手方向に第１水平取付穴の各々と同じピッチでかつそれぞれ第１水平取付穴の各々間の中央の高さ位置に形成され、水平横方向に隣り合う支柱は、それぞれ水平横方向に延在する複数の第１水平取付穴同士又は複数の第２水平取付穴同士が同じ高さで向き合うよう位置付けられかつ、水平縦方向に隣り合う支柱は、それぞれ水平縦方向に延在する複数の第２水平取付穴同士又は複数の第１水平取付穴同士が同じ高さで向き合うよう位置付けられ、第１及び第２支持金具は、上面に鉛直支持ピンを有する水平支持板部と、水平支持板部の一側から垂下しかつ水平取付穴を有する鉛直締結板部とを備え、第１支持金具の鉛直締結板部の鉛直長さは、第２支持金具の鉛直締結板部の鉛直長さよりも長く形成され、単位支柱において水平縦方向に対向する支柱の各対において所定の高さ位置で水平縦方向に向き合う第２又は第１水平取付穴に第１支持金具の鉛直締結板部の水平取付穴が該支柱の各々の該内側面から整合されてねじ部材により締結され、水平縦梁の各々は、各々の鉛直被支持穴が対応する第１支持金具の鉛直支持ピンに上方から挿入されて水平に支持され、単位支柱において水平横方向に対向する支柱の各対において該第２又は第１水平取付穴よりも半ピッチ上方の高さ位置において水平横方向に向き合う第１又は第２水平取付穴に第２支持金具の鉛直締結板部の水平取付穴が該２個の支柱の内側面から整合されてねじ部材により締結され、水平横梁の各々は、その鉛直被支持穴が水平横方向に対向する支柱の各対に締結された第２支持金具の鉛直支持ピンに上方から挿入されて水平に支持され、支持フレームは、平面矩形の輪郭と矩形横断面を有する周縁フレームであって４個の角部に鉛直被支持穴が形成されかつ４辺に水平取付穴が形成された周縁フレームを備え、支持フレームの、それぞれ２個の水平横梁及び水平縦梁の内側に位置する周縁フレームは、それぞれ２個の水平横梁及び水平縦梁にねじ部材により締結される、ことを特徴とする立体構造物、が提供される。
単位支柱の水平横方向の一方及び水平縦方向の一方にそれぞれ支柱を２個増設することにより、該単位支柱の水平横方向の該一方には、水平横方向の中間位置で水平縦方向に対向する２個の支柱及び該２個の支柱間に支持された水平縦梁が共用される他の単位支柱が増設されかつ、該単位支柱の水平縦方向の該一方には、水平縦方向の中間位置で水平横方向に対向する２個の支柱及び該２個の支柱間に支持された水平横梁が共用される更に他の単位支柱が増設され、他の単位支柱間には、２個の水平横梁、共用される水平縦梁を含む２個の水平縦梁及び支持フレームが、該単位支柱間に支持された２個の水平横梁、共用される水平縦梁を含む２個の水平縦梁及び支持フレームと同じ高さ位置にかつ同じ形態で支持され、共用される該２個の支柱の各々の水平横方向両側には、該両側を挟んで位置して水平横梁の各々の一端部を支持する第２支柱金具の鉛直締結板部が、各々の水平取付穴が該支柱の各々において該所定の高さ位置よりも半ピッチ上方の高さ位置で水平横方向に延在する第１又は第２水平取付穴の水平横方向両側から整合されてねじ部材により共締めされ、共用される該水平縦梁の水平横方向両側に位置する支持フレームの各々における周縁フレームの１辺は、該水平縦梁にねじ部材により共締めされ、更に他の単位支柱間には、２個の水平縦梁、共用される水平横梁を含む２個の水平横梁及び支持フレームが、該単位支柱間に支持された２個の水平縦梁、共用される水平横梁を含む２個の水平横梁及び支持フレームと同じ高さ位置にかつ同じ形態で支持され、共用される該２個の支柱の各々の水平縦方向両側には、該両側を挟んで位置して水平縦梁の各々の一端部を支持する第１支柱金具の鉛直締結板部が、各々の水平取付穴が該支柱の各々において該所定の高さ位置で水平縦方向に延在する第２又は第１水平取付穴の水平縦方向両側から整合されてねじ部材により共締めされ、共用される該水平横梁の水平縦方向両側に位置する支持フレームの各々における周縁フレームの１辺は、該水平横梁にねじ部材により共締めされ、水平横方向の該一方に増設された他の単位支柱において増設された２個の支柱のうちの水平縦方向の該一方側に位置する支柱に対し水平縦方向の該一方側の位置でありかつ、水平縦方向の該一方に増設された更に他の単位支柱において増設された２個の支柱のうちの水平横方向の該一方側に位置する支柱に対し水平横方向の該一方側の位置に、１個の支柱を増設することにより、該単位支柱、第２及び更に他の単位支柱において、増設された該１個の支柱に最も近い位置に存在するそれぞれ１個、合計３個の支柱が共用される更に他の単位支柱が増設され、更に他の単位支柱は、他の単位支柱と２個の支柱及び水平横梁の一つが共用されかつ更に他の単位支柱と２個の支柱及び水平縦梁の一つが共用されると共に第２及び更に他の単位支柱と実質的に同じ高さ及び形態で、共用される水平横梁を含む２個の水平横梁、共用される水平縦梁を含む２個の水平縦梁及び支持フレームが支持され、水平横方向に隣り合う第４及び更に他の単位支柱において、共用される該２個の支柱のうち水平縦方向の該一方側に位置する支柱の水平横方向両側には、該両側を挟んで位置して水平横梁の各々の一端部を支持する第２支柱金具の鉛直締結板部が、各々の水平取付穴が該支柱において該所定の高さ位置よりも半ピッチ上方の高さ位置で水平横方向に延在する第１又は第２水平取付穴の水平横方向両側から整合されてねじ部材により共締めされ、第４及び更に他の単位支柱において共用される該水平縦梁の水平横方向両側に位置する該支持フレームの各々における周縁フレームの１辺は、該水平縦梁にねじ部材により共締めされ、水平縦方向に隣り合う第４及び他の単位支柱において、共用される該２個の支柱のうち水平横方向の該一方側に位置する支柱の水平縦方向両側には、該両側を挟んで位置して水平縦梁の各々の一端部を支持する第１支柱金具の鉛直締結板部が、各々の水平取付穴が該支柱において該所定の高さ位置で水平縦方向に延在する第２又は第１水平取付穴の水平縦方向両側から整合されてねじ部材により共締めされ、他の単位支柱と共用される該水平横梁の水平縦方向両側に位置する該支持フレームの各々における周縁フレームの１辺は、該水平横梁にねじ部材により共締めされる、ことが好ましい。
【発明の効果】
【０００７】
本発明に係る立体構造物によれば、基本的な構成を利用して、種々の形態の立体構造物を構築することを可能にするとともに、組み立て、分解及び移設を容易かつ迅速に行なうことを可能にする。
【図面の簡単な説明】
【０００８】
【図１】本発明に従って構成された立体構造物の実施形態の斜視図であって、一部を分解して示す斜視図である。
【図２】図１に示す立体構造物の分解斜視図である。
【図３】図１に示す立体構造物の正面図であって、一部を透視図として示してある正面図である。
【図４】図３に示す立体構造物を図３において右方から見た側面図である。
【図５】（ａ）は図３のＡ部における支持金具の装着状態を示す拡大図、（ｂ）は（ａ）の平面図である。
【図６】（ａ）は図５に示す第１支柱金具の側面図、（ｂ）は（ａ）を右方から見た図、（ｃ）は（ａ）の平面図である。
【図７】図３のＢ部拡大図である。
【図８】図７の平面図である。
【図９】図３に示す立体構造物を水平横方向の一方に増設した他の実施形態の一部を示す平面図であって、第４ブレース板の斜視図と共に示す平面図である。
【図１０】図９のＣ矢視拡大透視図である。
【図１１】本発明に従って構成された立体構造物の更に他の実施形態の一部を示す平面図である。
【図１２】図１１のＤ矢視図である。
【図１３】図１１のＥ矢視図である。
【図１４】本発明に従って構成された立体構造物の、矩形ブレースユニットの実施形態を備えた更に他の実施形態の一部を示す正面図である。
【図１５】本発明に従って構成された立体構造物の、矩形ブレースユニットの他の実施形態を備えた更に他の実施形態の一部を示す側面図である。
【図１６】図１５に示す矩形ブレースユニットの斜視図である。
【図１７】図１６に示す矩形ブレースユニットの右端部の平面拡大図である。
【図１８】本発明に従って構成された立体構造物の、Ｘ形ブレースユニットの実施形態を備えた更に他の実施形態の一部を示す正面図である。
【図１９】本発明に従って構成された立体構造物の、Ｘ形ブレースユニットの他の実施形態を備えた更に他の実施形態の一部を示す側面図である。
【図２０】（ａ）は図１８のＦ部拡大図、（ｂ）は（ａ）の平面図である。
【図２１】図１８に示すＸ形ブレースユニットの２個のロッド部材の平面図であって、中間部を省略して示す平面図である。
【図２２】（ａ）は図２１に示すロッド部材の一方の左端部の拡大透視図、（ｂ）は（ａ）を左方から見た側面図である。
【図２３】２個の支柱の連結部の構成の実施形態を示す正面図である。
【図２４】図２３に示す２個の支柱と連結管を分解して示す図である。
【図２５】２個の支柱の連結部の構成の他の実施形態を示す正面図である。
【図２６】（ａ）は図２３に示す固定金具の平面拡大図、（ｂ）は（ａ）に示す固定金具を（ａ）において下方から見た正面図、（ｃ）は（ａ）に示す固定金具の斜視図である。
【図２７】（ａ）は本発明に従って構成される立体構造物の一部として適用可能な手すりの平面図、（ｂ）は（ａ）に示す手すりを（ａ）において下方から見た正面図、（ｃ）は（ｂ）に示す手すりを（ｂ）において左方から見た側面図である。
【図２８】（ａ）は図３５のＧ−Ｇ矢視断面図、（ｂ）は（ａ）を下方から見た正面図である。
【図２９】本発明に従って構成される立体構造物の一部として適用可能な階段ユニットの斜視図である。
【図３０】図１に示す立体構造物を概略的に示す平面図である。
【図３１】図９に示す立体構造物を概略的に示す平面図である。
【図３２】図１１に示す立体構造物を概略的に示す平面図である。
【図３３】本発明に従って構成される立体構造物の更に他の実施形態を概略的に示す平面図である。
【図３４】本発明に従って構成される立体構造物の更に他の実施形態を、一部を省略して示す斜視図である。
【図３５】本発明に従って構成される立体構造物の更に他の実施形態を、一部を省略して示す斜視図である。
【図３６】本発明に従って構成される立体構造物の更に他の実施形態を、一部を省略して示す斜視図である。
【図３７】本発明に従って構成される立体構造物の更に他の実施形態を、一部を省略して示す斜視図である。
【図３８】本発明に従って構成される立体構造物の更に他の実施形態を、一部を省略して示す斜視図である。
【図３９】本発明に従って構成される立体構造物の更に他の実施形態を、一部を省略して示す斜視図である。
【発明を実施するための形態】
【０００９】
以下、本発明に従って構成された立体構造物の実施の形態を、図１〜図３９を参照して詳細に説明する。なお、図１〜図３９において、実質的に同一部分は同一符号で示されている。先ず図１〜図４を参照して、分解可能に組み立てられる立体構造物は、水平横方向（図においてＸ−Ｘ方向）及び該水平横方向に直交する水平縦方向（図においてＹ−Ｙ方向）にそれぞれ等間隔を置いて設置面上に直立される４個の支柱を単位支柱として構成される少なくとも４個の支柱、実施形態においては４個の支柱２、４、６及び８（以下「単位支柱ＰＵ１」と称する）と、単位支柱ＰＵ１の水平横方向の内側面間に支持金具を介して支持される少なくとも１個の支持フレーム、実施形態においては第１及び第２支柱金具１０及び１２を介して支持される２個の支持フレーム１４とを備えている。
【００１０】
支柱２は、矩形横断面、実施形態においては正方形の横断面を有する金属管（例えば鋼管）から形成される。図２に示されているように、支柱２において、相互に対向する第１側面対の幅方向中央には、それぞれ共通の水平軸線を有する第１水平取付穴１８が、下端２Ｌから上方に一定の距離Ｓを有する基準位置に形成されかつ更に長手方向上方に一定のピッチＰで複数個形成されている。他方、相互に対向する第２側面対の幅方向中央には、それぞれ共通の水平軸線を有する第２水平取付穴２０が、長手方向に第１水平取付穴１８の各々と同じピッチＰでかつそれぞれ第１水平取付穴１８の各々間の中央の高さ位置に形成されている。したがって、第１及び第２水平取付穴１８及び２０の各々の水平軸線は、１/２Ｐ（半ピッチ）の高さ方向の間隔を置いて交互に直交する方向に延在する。第１及び第２水平取付穴１８及び２０の内径は等しく形成される。支柱４、６及び８は、上記支柱２と共通部品から構成される。
【００１１】
水平横方向に隣り合う支柱２と４、及び６と８は、それぞれ水平横方向に延在する複数の第１水平取付穴１８同士又は図示の実施形態における如く複数の第２水平取付穴２０同士が同じ高さで向き合うよう位置付けられ（換言すれば、共通の水平軸線上に位置付けられ）かつ、水平縦方向に隣り合う支柱２と６、及び４と８は、それぞれ水平縦方向に延在する複数の第２水平取付穴１８同士又は図示の実施形態における如く複数の第１水平取付穴１８同士が同じ高さで向き合うよう位置付けられる（換言すれば、共通の水平軸線上に位置付けられる）。
【００１２】
単位支柱ＰＵ１の下端部には、それぞれ基板２２を含むジャッキ手段Ｊが配設されている。単位支柱ＰＵ１は基板２２を介して設置面上に載置又は解除可能に固定される。ジャッキ手段Ｊは、矩形の該基板２２と、基板２２に固着されて基板２２の上面から直立する雄ねじ部材２４と、雄ねじ部材２４にねじ係合された雌ねじ部材２６とを備えている。雌ねじ部材２６は、軸方向に一定の厚みを有しかつ平坦な上端面２６Ａと、下端面と、円形外周面と、円形外周面における半径方向の対称位置から周方向に間隔を置いて半径方向外方であって相互に反対方向に延び出すそれぞれ一対のフランジ２７とを備えている。フランジ２７の各対には回動操作レバー２８の一端部が軸部材を介して回動可能に支持されている。単位支柱ＰＵ１の下端部は、それぞれ雄ねじ部材２４の、雌ねじ部材２６よりも上方に延び出した上部領域に相対回動可能に嵌合されて、下端２Ｌ、４Ｌ、６Ｌ及び８Ｌがそれぞれ雌ねじ部材２６の上端面２６Ａに載置される。回動操作レバー２８は非使用時には自重により軸部材を上にして鉛直に垂下した状態になっているが、操作時には軸部材まわりに回動して水平状態とし、更に水平方向に回動させることにより、単位支柱ＰＵ１のレベルを調整することができる。
【００１３】
図６を参照して、第２支持金具１２は矩形状の水平支持板部３０及び鉛直締結板部３２とを備えている。水平支持板部３０には鉛直支持ピン３４が上面から直立するよう溶着され、鉛直締結板部３２は、水平支持板部３０の一側から垂下するよう一体に形成され中央部に水平取付穴３６が形成されている。鉛直締結板部３２には、直角三角形状のブレース片３７及び一対の矩形状の位置決め片３８がそれぞれ一体に形成されている。ブレース片３７の各々は、鉛直締結板部３２の、水平支持板部３０の直下側位置の両側から水平支持板部３０と同じ方向に相互に平行に延び出している。ブレース片３７の各々の隣辺の一方である上端面は、水平支持板部３０の下面に沿って延在する。位置決め片３８の各々は、鉛直締結板部３２の下端部両側から水平支持板部３０と反対方向に平行に延び出している。水平支持板部３０の幅（ブレース片３７及び位置決め片３８が設けられている方向の幅）は、支柱２、４、６及び８の幅と同じに設定され、位置決め片３８の各々の間隔は支柱２、４、６及び８の幅と同じもしくはわずかに大きく設定されている。
【００１４】
第１支持金具１０は、鉛直締結板部３２の鉛直長さが、第２支持金具１２の鉛直締結板部３２のそれよりも長く形成されている以外は、上記第２支持金具１２と実質的に同じ構成を有しているので、同一部分は同一符号で示し、説明は省略する。なお、図示の実施形態において、第１支持金具１０は、位置決め片３８の各々を備えない実施形態として構成されている。
【００１５】
上記単位支柱ＰＵ１において、水平横方向に対向する支柱２と４、及び６と８の各対において所定の高さ位置で水平横方向に向き合う第１又は第２水平取付穴１８又は２０、実施形態においては第２水平取付穴２０に、第１支持金具１０の鉛直締結板部３２の水平取付穴３６が支柱２と４、及び６と８の各対の該内側面から整合されてねじ部材であるボルト＆ナットＢＮにより締結される（図７をも参照）。合計４個の第１支持金具１０の水平支持板部３０の上面は共通の平面上に位置付けられる。
【００１６】
支持フレーム１４は、平面矩形の輪郭と矩形横断面を有する周縁フレーム４０であって、４個の角部に鉛直被支持穴４２が形成された周縁フレーム４０を備えている。周縁フレーム４０は、水平縦方向に間隔を置いて水平横方向に平行に延在する一対の側フレーム４０Ａと、側フレーム４０Ａの各々の両端部内側間を相互に平行に水平縦方向に延在する一対の端フレーム４０Ｂとから構成されている。側フレーム４０Ａの各々の中間部内側間には、３個の中間フレーム４０Ｃが水平横方向に間隔を置いて相互に平行に水平縦方向に延在するよう配設されている。鉛直被支持穴４２は、側フレーム４０Ａの各々の両端部に形成されている。側フレーム４０Ａ、端フレーム４０Ｂ及び中間フレーム４０Ｃの各々は横断面矩形の金属管から形成され、周縁フレーム４０の上面は共通の上平面上に位置付けられ、下面は上平面と平行な下平面上に位置付けられている。中間フレーム４０Ｃの各々の上面は、上平面上に位置付けられている。周縁フレーム４０の４個の角部において、鉛直被支持穴４２に対しそれぞれ水平横方向内側位置及び水平縦方向内側位置における相互に同じ高さ位置には、それぞれ水平縦方向及び水平横方向に延在する水平取付穴４４及び４６が形成されている。側フレーム３４Ａの各々の中間部には、水平縦方向に延在する複数の水平取付穴４８が水平横方向に間隔を置いて形成されている。相互に対向する水平取付穴４４同士、水平取付穴４６同士及び水平取付穴４８同士はそれぞれ共通の軸線上に存在する。
【００１７】
支持フレーム１４は、鉛直被支持穴４２の各々が、単位支柱ＰＵ１に取り付けられた第１支持金具１０の鉛直支持ピン３４に挿入されることにより水平支持板部３０の各々の上面に水平に支持される。支持フレーム１４の上面には、必要に応じてプレート４９などが配設される。図示の実施形態において、他の支持フレーム１４が、上記支持フレーム１４よりも下方位置において、上記支持フレーム１４と実質的に同じ形態で、単位支柱ＰＵ１に締結された第２支持金具１２を介して水平に支持されている。第２支持金具１２には、位置決め片３８が配設されており、対応する支柱２、４、６及び８の水平縦方向両側を抱え込むように位置付けられる（図５及び図６参照）。位置決め片３８の各々は、第２支持金具１２を単位支柱２、４、６及び８へそれぞれボルト＆ナットＢＮにより締結する際の位置決め及び回転止めとして機能する。ただし、他の部材との干渉が避けられない場合には、位置決め片３８の各々を備えない実施形態として構成される（上記実施形態においては第１支持金具１０）。
【００１８】
図３０を参照して、本発明による立体構造物によれば、上記の如く構成された４個の支柱２〜８を単位支柱ＰＵ１として構成され、少なくとも１個の支持フレーム１４（実施形態においては２個の支持フレーム１４）が、単位支柱ＰＵ１の水平横方向の内側面間に支持金具（実施形態においては第１及び第２支持金具１０及び１２）を介して支持されるよう構成されているので、単位支柱ＰＵ１の水平横方向の一方（図３０において右方）に支柱を２個（支柱５０及び５２）増設することにより、単位支柱ＰＵ１の水平横方向の該一方には、水平横方向の中間位置で水平縦方向に対向する２個の支柱４及び８が共用される他の単位支柱４、５０、８及び５２（以下「他の単位支柱ＰＵ２」と称する）を増設することができる。また、単位支柱ＰＵ１の水平縦方向の一方（図３０において上方）に支柱を２個（支柱５４及び５６）増設することにより、単位支柱ＰＵ１の水平縦方向の該一方には、水平縦方向の中間位置で水平横方向に対向する２個の支柱６及び８が共用される更に他の単位支柱６、８、５４及び５６（以下「更に他の単位支柱ＰＵ３」と称する）を増設することができる。更にはまた、水平横方向の該一方に増設された他の単位支柱ＰＵ２において増設された２個の支柱５０及び５２のうちの水平縦方向の該一方側に位置する支柱５２に対し水平縦方向の該一方側の位置でありかつ、水平縦方向の該一方に増設された更に他の単位支柱ＰＵ３において増設された２個の支柱５４及び５６のうちの水平横方向の該一方側に位置する支柱５６に対し水平横方向の該一方側の位置に、１個の支柱５８を増設することにより、前記単位支柱ＰＵ１、ＰＵ２及びＰＵ３において、増設された該１個の支柱５８に最も近い位置に存在するそれぞれ１個、合計３個の支柱８、５２及び５６が共用される更に他の単位支柱８、５２、５６及び５８（以下「更に他の単位支柱ＰＵ４」と称する）を増設することができる。もちろん支柱５０〜５８は、支柱２〜８と実質的に同じ構成を有している。なお、図３０において、増設部分は２点鎖線で示されている。
【００１９】
上記立体構造物において、水平横方向に並列される単位支柱ＰＵ１及びＰＵ２には、それぞれ同じ高さ位置に支持フレーム１４、あるいはこれらに加えて他の支持フレーム１４を多段に配設することが可能である。また、水平横方向に並列される単位支柱ＰＵ３及びＰＵ４においては、それぞれ同じ高さ位置であって、単位支柱ＰＵ１及びＰＵ２におけるのとは異なった高さ位置に支持フレーム１４、あるいはこれらに加えて他の支持フレームを多段に配設することが可能である。その結果、基本的な構成（上記支柱、支持金具、支持フレーム、必要に応じてジャッキ手段Ｊ）を利用して、種々の形態の立体構造物、例えば、多段式の棚、観覧席、足場軸組などを構築することを可能にする。また構成要素は、ねじ部材（一般的にはボルト＆ナット）による締結、鉛直支持ピンによる嵌合、などにより分解可能に連結されるので、組み立て、分解及び移設を容易かつ迅速に行なうことを可能にする。また、支柱間の水平横方向及び水平縦方向の間隔、支柱の高さ（長さ）を任意に設定することができ、それに対応できる支持フレームを用意することにより、立体構造物の大きさも自由に得ることができる。立体構造物の支柱を単位支柱ＰＵ１のみにより構成した場合であっても、同様に複数の形態の立体構造物を構築することが可能である。
【００２０】
なお、上記立体構造物を例えば足場軸組に利用した場合、例えば支持フレーム１４と設置面との間には階段ユニット６０が配設される。図２９を参照して、階段ユニット６０は、水平幅方向に間隔を置いて平行にかつ水平面に対して傾斜して延びる一対の側フレーム６２と、側フレーム６２の各々間に配設されかつ水平上面を有する複数のステップ６４と、側フレーム６２の各々に配設された手すり兼フェンスユニット６６とを備えている。側フレーム６２の各々の頂部には、水平幅方向から見て下方に開口するチャンネル部６８が配設されている。階段ユニット６０は、チャンネル部６８の各々が、例えば図１において上側の支持フレーム１４の周縁フレーム４０の一部に上方から嵌合されて分離可能に配設される。
【００２１】
図１、図２及び図３０を参照して、上側の支持フレーム１４が単位支柱ＰＵ１に支持された状態において、支持フレーム１４の周縁フレーム４０における水平縦方向（Ｙ−Ｙ方向）外側面の各々（側フレーム４０Ａの各々の外側面）は、各々の水平横方向（Ｘ−Ｘ方向）外側に位置する支柱の各々（２及び４と、６及び８）の水平縦方向外側面と共通の鉛直面上に位置付けられかつ、周縁フレーム４０の水平横方向外側面の各々（端フレーム４０Ｂの各々の外側面）は、各々の水平横方向外側に位置する支柱の各々（２及び６と、４及び８）の水平横方向内側面と共通の鉛直面上に位置付けられる。そして、周縁フレーム４０の４個の角部の各々における水平取付穴４４及び４６の各々は、支柱２〜８の各々の水平縦方向に延在する第１水平取付穴１８であって、第１支持金具１０の鉛直締結板部３２の水平取付穴３６が整合された第２水平取付穴２０よりも半ピッチ上方の高さ位置の第１水平取付穴１８と同じ高さに位置付けられる。単位支柱ＰＵ１と支持フレーム１４の周縁フレーム４０の４個の角部との間は、それぞれ板金製の第１ブレース板７０及び第２ブレース板７２が締結される。
【００２２】
第１ブレース板７０は、図２に示されているように、直角三角形の平板であって３個の角部にそれぞれ１個の取付穴７０Ａが形成された直角三角形の平板からなる。図１、図２及び図３０を参照して、４個の第１ブレース板７０が、それぞれ支持フレーム１４の４個の角部における水平縦方向外側面と支持フレーム１４の水平横方向外側に位置する支柱の各々２及び６と、４及び８の水平縦方向外側面とを隣辺の各々に沿って直角に延在する領域が覆うよう重合される。そして、第１ブレース板７０の各々の３個の取付穴７０Ａが、それぞれ支持フレーム１４の水平縦方向に延在する水平取付穴４４と、支柱２〜８の各々において該水平取付穴４４と同じ高さで水平縦方向に延在する第１水平取付穴１８と、該第１水平取付穴１８に対し１ピッチ下方の高さ位置で水平縦方向に延在する第１水平取付穴１８とに整合されてそれぞれボルト＆ナットＢＮにより締結される（図３、図４、図７及び図８をも参照）。
【００２３】
第２ブレース板７２は、図２に示されているように、直角三角形状平板部７２Ａと、直角三角形状平板部７２Ａの隣辺の一方から直角に延び出す縦長の矩形状平板部７２Ｂとからなり、直角三角形状平板部７２Ａの隣辺の他方と斜辺とが交わる角部には１個の取付穴７２Ｃが形成され、矩形状平板部７２Ｂの長手方向両端部にはそれぞれ１個の取付穴７２Ｄが形成されている。図１、図２及び図３０を参照して、４個の第２ブレース板７２が、それぞれ支持フレーム１４の４個の角部における水平横方向外側面と該水平横方向外側面の水平横方向外側の支柱の各々２及び６と、４及び８の水平縦方向内側面とを直角三角形状平板部７２Ａの隣辺の他方に沿った水平領域及び矩形状平板部７２Ｂが覆うよう重合される。そして、第２ブレース板７２の各々の直角三角形状平板部７２Ａの取付穴７２Ｃがそれぞれ支持フレーム１４の水平横方向に延在する水平取付穴４６に整合されてそれぞれボルト＆ナットＢＮにより締結される。更に矩形状平板部７２Ｂの取付穴７２Ｄの各々が、支柱の各々２及び６と、４及び８において該水平取付穴４６と同じ高さ位置で水平縦方向に延在する第１水平取付穴１８と、該第１水平取付穴１８に対し１ピッチ下方の高さ位置で水平縦方向に延在する第１水平取付穴１８とに整合されてそれぞれ第１ブレース板７０を締結する前記ボルト＆ナットＢＮにより第１ブレース板７０と共締めされる（図３、図４、図７及び図８をも参照）。
【００２４】
上記した如く、単位支柱ＰＵ１と上側の支持フレーム１４の周縁フレーム４０の４個の角部との間が、それぞれ第１ブレース板７０及び第２ブレース板７２により締結されるので、立体構造物全体の強度を著しく簡単な構成により低コストでアップすることができる。
【００２５】
図２、図９、図１０及び図３１を参照して、先にも述べたように、単位支柱ＰＵ１の水平横方向の一方（図３１において右方）に支柱を２個（支柱５０及び５２）増設することにより、該単位支柱ＰＵ１の水平横方向の該一方には、水平横方向の中間位置で水平縦方向に対向する２個の支柱４及び８が共用される他の単位支柱ＰＵ２が増設される。更に順次２個づつ増設することにより、複数の単位支柱が同様にして水平横方向の一方に増設される。そして水平横方向に隣り合う単位支柱ＰＵ１及びＰＵ２の各々間の同じ高さ位置にそれぞれ支持フレーム１４が支持される。共用される該２個の支柱４及び８の各々における水平横方向両側には、該両側を挟んで位置する支持フレーム１４の各々の水平横方向の一端部を支持する第１支柱金具１０の鉛直締結板部３２が、各々の水平取付穴３６が該２個の支柱４及び８において該所定の高さで水平横方向に延在する第２水平取付穴２０の水平横方向両側から整合されて、ボルト＆ナットＢＮにより共締めされる。支柱４及び８の共用、第１支柱金具１０の共締めなどは、構成全体の簡略化及びコストダウンに寄与する。
【００２６】
支持フレーム１４がそれぞれ単位支柱ＰＵ１及びＰＵ２の同じ高さ位置に支持された状態において、支持フレーム１４の各々の周縁フレーム４０における水平縦方向外側面（側フレーム４０Ａの各々の水平縦方向外側面）は、それぞれ支持フレーム４０の水平横方向外側に位置する支柱（２及び４と、６及び８）の各々の水平縦方向外側面と共通の鉛直面上に位置付けられる。また水平横方向外側面（端フレーム４０Ｂの各々の水平横方向外側面）は、それぞれ該支柱（２及び６と、４及び８）の各々の水平横方向内側面と共通の鉛直面上に位置付けられる。更に支持フレーム１４の各々の周縁フレーム４０の４個の角部の水平取付穴４４及び４６の各々は、単位支柱ＰＵ１及びＰＵ２の水平縦方向に延在する第１水平取付穴１８であって、第１支持金具１０の鉛直締結板部３０の水平取付穴３６が整合された第２水平取付穴２０よりも半ピッチ上方の高さ位置の第１水平取付穴１８と同じ高さに位置付けられる。
【００２７】
複数の単位支柱が水平横方向に増設された立体構造物において、水平横方向の他方（図３１において左方）における他端（図３１において左端）において水平縦方向に間隔をおいて位置する２個の支柱２及び６と該２個の支柱２及び６を含む単位支柱ＰＵ１に支持された支持フレーム１４の周縁フレーム４０の水平横方向の該他端側の２個の角部との間、及び水平横方向の該一方における一端において水平縦方向に間隔をおいて位置する２個の支柱と該２個の支柱を含む単位支柱に支持された支持フレームの周縁フレームの水平横方向の該一端側の２個の角部との間（いずれも不図示）には、それぞれ第１ブレース板７０及び第２ブレース板７２が図３０を参照して説明した如く締結される。また、共用される該２個の支柱４及び８と該２個の支柱４及び８の水平横方向両側に支持された支持フレーム１４の各々の２個の角部との間には、それぞれ第３ブレース板７４及び第４ブレース板７６が締結される。
【００２８】
板金製の第３ブレース板７４は、図１０に示されているように、二等辺三角形の平板であって頂角部、底角部の各々、及び底角部の各々間の中央にそれぞれ１個（合計４個）の取付穴７４Ａ、７４Ｂ及び７４Ｃが形成された二等辺三角形の平板からなる。２個の第３ブレース板７４が、共用される該２個の支柱４及び８の水平縦方向外側面と該２個の支柱４及び８の水平横方向両側に支持された該支持フレーム１４の各々の２個の角部の水平縦方向外側面とを覆うよう重合される。そして、第３ブレース板７４の各々の底角部の取付穴７４Ｂがそれぞれ該支持フレーム１４の各々の該２個の角部の水平縦方向に延在する水平取付穴４４に整合される。また、底角部の各々間の中央の取付穴７４Ｃがそれぞれ該２個の支柱４及び８において水平縦方向に延在する第１水平取付穴１８であって該支持フレーム１４の各々の該水平取付穴４４と同じ高さに位置する第１水平取付穴１８に整合される。更にはまた、頂角部の取付穴７４Ａが該２個の支柱４及び８の第１水平取付穴１８であって該２個の支柱４及び８の該第１水平取付穴１８に対し１ピッチ下方の高さ位置で水平縦方向に延在する第１水平取付穴１８に整合されてそれぞれボルト＆ナットＢＮにより締結される。
【００２９】
板金製の第４ブレース板７６は、図９に示されているように、一定の幅で直線状に上下方向に延在する縦長の矩形状平板部７６Ａと、矩形状平板部７６Ａの両側から相互に間隔をおいて直角に延び出す一対の直角三角形状平板部７６Ｂであって相互に対称形状を有する一対の直角三角形状平板部７６Ｂとからなる。矩形状平板部７６Ａの長手方向上端面と該上端面に連続する一対の直角三角形状平板部の隣辺の一方の端面とは共通の平面上に位置付けられる。一対の直角三角形状平板部７６Ｂにおける隣辺の該一方と斜辺とが交わる角部にはそれぞれ１個の取付穴７６Ｃが形成され、矩形状平板部７６Ａの上端部及び下端部にはそれぞれ１個の取付穴７６Ｄが形成されている。取付穴７６Ｃは共通の軸線上に位置付けられる。
【００３０】
２個の第４ブレース板７６が、共用される該２個の支柱４及び８の水平縦方向内側面と該２個の支柱４及び８の水平横方向両側に支持された該支持フレーム１４の各々の２個の角部の水平横方向外側面とを覆うよう重合される。そして、第４ブレース板７６の各々の矩形状平板部７６Ａの上端部及び下端部の取付穴７６Ｄは、それぞれ第３ブレース板７４の各々における底角部の各々間の中央の取付穴７４Ｃ及び頂角部の取付穴７４Ａが整合される、共用される該２個の支柱４及び８の水平縦方向に延在する第１水平取付穴１８に整合されて、第３ブレース板７４の各々を締結する前記ボルト＆ナットＢＮにより共締めされる。直角三角形状平板部７６Ｂの各々の取付穴７６Ｃは、該２個の支柱４及び８の水平横方向両側に支持された該支持フレーム１４の各々の２個の角部の水平横方向に延在する水平取付穴４６に整合されてボルト＆ナットＢＮにより締結される。
【００３１】
水平横方向の中間位置で水平縦方向に対向する２個の支柱４及び８、５０及び５２、・・・などが共用される複数の単位支柱ＰＵ１、ＰＵ２・・・が水平横方向に増設され、支柱１４が同じ高さ位置に支持されてなる立体構造物において、支柱２、４、６、８、５０、５２・・・と支持フレーム１４の各々との間に第１、第２、第３及び第４ブレース板７０、７２、７４及び７６がボルト＆ナットＢＮにより締結されるので、立体構造物全体の強度を、著しく簡単な構成でしかも低コストでアップすることができる。第１支持金具１０を使用することにより、支持フレーム１４の水平取付穴４４及び４６の高さ位置を、支柱２、４、６、８・・・の特定の第１水平取付穴１８又は第２水平取付穴２０と同じ高さ位置に位置付けることが可能になるので、第１、第２、第３及び第４ブレース板７０、７２、７４及び７６の装着が容易となる。
【００３２】
図３４には、上記構成を適用した立体構造物である棚の実施形態が一部を省略して図示されている。多段に配設された支持フレーム１４、１４・・・の周縁フレーム４０の上面にはそれぞれプレート４９が配設されている。図３５には、上記構成を適用した立体構造物である足場軸組の実施形態が一部を省略して図示されている。支持フレーム１４の各々の上面には足場用の板８３が複数個配設されている。これらの立体構造物においては、第１、第２、第３及び第４ブレース板７０、７２、７４及び７６（不図示）が使用されている。図３６には、上記構成を適用した立体構造物である観覧席の実施形態が一部を省略して図示されている。支持フレーム１４の各々の上面には座席及び足置き用の板８４が複数個配設されている。
【００３３】
次に、本発明に従って構成される立体構造物の他の実施形態を、図１１〜図１３を参照して説明する。この立体構造物における単位支柱ＰＵ１において、水平縦方向に対向する支柱２及び６、４及び８の各対の水平縦方向の内側面間には、水平縦梁８０がそれぞれ第１支持金具１０を介して支持される。また水平縦方向の一方側（図１１において上側）において水平横方向に対向する２個の支柱６及び８の水平横方向の内側面間には、水平横梁８２が第２支持金具１２を介して支持される。水平縦梁８０及び水平横梁８２はそれぞれ横断面矩形の金属管から形成される。水平縦梁８０の各々の両端部には鉛直被支持穴８０Ａが、中間部には４個の水平取付穴８０Ｂ（図１１においては中心線のみ図示）がそれぞれ形成されている。水平横梁８２の両端部には鉛直被支持穴８２Ａが、中間部には４個の水平取付穴８２Ｂ（図１１においては中心線のみ図示）がそれぞれ形成されている。水平横梁８２と２個の水平縦梁８０と水平縦方向の他方側（図１１において下方側）において水平横方向に対向する２個の支柱２及び４とにより囲まれた平面矩形状の空間内には、支持フレーム１４、１４が配置されて支持される。支持フレーム１４、１４は、先に説明した支持フレーム１４を２個、側フレーム４０Ａの水平方向の外面同士を重合して相互に整合される水平取付穴４４及び４８同士を利用し、ボルト＆ナットＢＮにより締結することにより、単位支柱ＰＵ１に装着された状態で一体化される。もちろん、このような構成に替えて、支持フレーム１４、１４を一体化した如き構成を有する１個の支持フレームを使用することも可能である。図３２における支持フレーム１４は、このような構成を有する支持フレームを模式的に示している。以下、支持フレーム１４、１４を、単に支持フレーム１４と略称する。
【００３４】
単位支柱ＰＵ１において水平縦方向に対向する支柱２及び６、４及び８の各対において所定の高さ位置で水平縦方向に向き合う第１水平取付穴１８に第１支持金具１０の鉛直締結板部３２の水平取付穴３６が該支柱２及び６、４及び８の該内側面から整合されてボルト＆ナットＢＮにより締結される。水平縦梁８０の各々は、各々の鉛直被支持穴８０Ａが対応する第１支持金具１０の鉛直支持ピン３４に上方から挿入されて水平に支持される。単位支柱ＰＵ１において水平横方向に対向する支柱の各対２及び４、６及び８において該第１水平取付穴１８よりも半ピッチ上方の高さ位置において水平横方向に向き合う第２水平取付穴２０に第２支持金具１２の鉛直締結板部３２の水平取付穴３６が該支柱２及び４、６及び８の内側面から整合されてボルト＆ナットＢＮにより締結される。水平横梁８２は、水平縦方向の該一方側においてその鉛直被支持穴８２Ａが水平横方向に対向する２個の支柱６及び８に締結された第２支持金具１２の鉛直支持ピン３４に上方から挿入されて水平に支持される。支持フレーム１４は、水平縦方向の該他方側に位置する２個の鉛直被支持穴４２の各々が水平縦方向の該他方側に位置する２個の支柱２及び４に締結された第２支持金具１２の鉛直支持ピン３４に上方から挿入されて支持されると共に、水平横梁８２と２個の水平縦梁８０との内側に位置する周縁フレーム４０が、それぞれの水平取付穴８２Ｂと４４及び４８、８０Ｂと４６が整合されて水平横梁８２と２個の水平縦梁８０とにボルト＆ナットＢＮにより締結されて水平に支持される。
【００３５】
図１２及び図１３から容易に理解されるように、水平縦梁８０の各々、水平横梁８２及び支持フレーム１４の上面は共通の水平面上に位置付けられる。水平横梁８２の高さ寸法（厚み）は、支持フレーム１４のそれと同じに設定され、水平縦梁８０の各々の高さ寸法（厚み）は、水平横梁８２のそれよりも大きく設定されている。
【００３６】
図３２及び図１１を参照して、図１１〜図１３を参照して説明した立体構造物における単位支柱ＰＵ１の水平横方向の一方（図３２及び図１１において右方）及び水平縦方向の一方（図３２及び図１１において上方）にそれぞれ２個の支柱５０及び５２、５４及び５６を増設することにより、単位支柱ＰＵ１の水平横方向の該一方には、水平横方向の中間位置で水平縦方向に対向する２個の支柱４と８及び該２個の支柱４と８間に支持された水平縦梁８０が共用される他の単位支柱ＰＵ２が増設されかつ、該単位支柱ＰＵ１の水平縦方向の該一方には、水平縦方向の中間位置で水平横方向に対向する２個の支柱６と８及び該２個の支柱６と８間に支持された水平横梁８２が共用される更に他の単位支柱ＰＵ３が増設される。
【００３７】
他の単位支柱ＰＵ２間には、水平横梁８２、共用される水平縦梁８０を含む２個の水平縦梁８０及び支持フレーム１４が、該単位支柱ＰＵ１間に支持された水平横梁８２、共用される水平縦梁８０を含む２個の水平縦梁８０及び支持フレーム１４と同じ高さ位置にかつ同じ形態で支持される。共用される該２個の支柱４及び８のうち水平縦方向の該一方側に位置する支柱８の水平横方向両側には、該両側を挟んで位置して水平横梁８２の各々の一端部を支持する第２支柱金具１２の鉛直締結板部３２が、各々の水平取付穴３６が該支柱８において該所定の高さ位置よりも半ピッチ上方の高さ位置で水平横方向に延在する第２水平取付穴２０の水平横方向両側から整合されてボルト＆ナットＢＮにより共締めされる。共用される該２個の支柱４及び８のうち水平縦方向の該他方側に位置する支柱４の水平横方向両側には、該両側を挟んで位置して該支持フレーム１４の各々の水平縦方向の該他方側の１個の角部を支持する第２支柱金具１２の鉛直締結板部３２が、各々の水平取付穴３６が該支柱４において該所定の高さ位置よりも半ピッチ上方の高さ位置で水平横方向に延在する第２水平取付穴２０の水平横方向両側から整合されてボルト＆ナットＢＮにより共締めされる。共用される該水平縦梁８０の水平横方向両側に位置する該支持フレーム１４の各々における周縁フレーム４０の１辺である端フレーム４０Ｂは、該水平縦梁８０にボルト＆ナットＢＮにより共締めされる。
【００３８】
更に他の単位支柱ＰＵ３間には、共用される水平横梁８２を含む２個の水平横梁８２、２個の水平縦梁８０及び支持フレーム１４が、該単位支柱ＰＵ１間に支持された、共用される水平横梁８２、２個の水平縦梁８０及び支持フレーム１４と同じ高さ位置に支持される。共用される該２個の支柱６及び８の水平縦方向両側には、該両側を挟んで位置して水平縦梁８０の各々の一端部を支持する第１支柱金具１０の鉛直締結板部３２が、各々の水平取付穴３６が該支柱６及び８において該所定の高さ位置で水平縦方向に延在する第１水平取付穴１８の水平縦方向両側から整合されてボルト＆ナットＢＮにより共締めされる。更に他の単位支柱ＰＵ３の、水平横梁８２の各々及び水平縦梁８０の各々に囲まれた平面矩形状の空間内には支持フレーム１４が配置され、該支持フレーム１４の周縁フレーム４０の３辺は、水平縦方向の該一方側に位置する水平横梁８２及び水平縦梁８０の各々にボルト＆ナットＢＮにより締結されかつ水平縦方向の該他方側に位置する１辺は、共用される該水平横梁８２に対し、該水平横梁８２の水平縦方向の該他方側に位置する、該単位支柱ＰＵ１の支持フレーム１４の周縁フレーム４０の１辺である側フレーム４０Ａとともにボルト＆ナットＢＮにより共締めされる。
【００３９】
水平横方向の該一方に増設された他の単位支柱ＰＵ２において増設された２個の支柱５０及び５２のうちの水平縦方向の該一方側に位置する支柱５２に対し水平縦方向の該一方側の位置でありかつ、水平縦方向の該一方に増設された更に他の単位支柱ＰＵ３において増設された２個の支柱５４及び５６のうちの水平横方向の該一方側に位置する支柱５６に対し水平横方向の該一方側の位置に、１個の支柱５８を増設することにより、単位支柱ＰＵ１、ＰＵ２及びＰＵ３において、増設された該１個の支柱５８に最も近い位置に存在するそれぞれ１個、合計３個の支柱８、５２及び５６が共用される更に他の単位支柱ＰＵ４が増設される。更に他の単位支柱ＰＵ４は、単位支柱ＰＵ１と支柱８が共用され、他の単位支柱ＰＵ２と２個の支柱８、５２及び水平横梁８２の一つが共用されかつ更に他の単位支柱ＰＵ３と２個の支柱８、５６及び水平縦梁８０の一つが共用されると共に更に他の単位支柱ＰＵ３と実質的に同じ高さ及び形態で、共用される水平横梁８２を含む２個の水平横梁８２、共用される１個の水平縦梁８０を含む２個の水平縦梁８０及び支持フレーム１４が支持される。
【００４０】
水平横方向に隣り合う更に他の単位支柱ＰＵ３及びＰＵ４において、共用される該２個の支柱８及び５６のうち水平縦方向の該一方側に位置する支柱５６の水平横方向両側には、該両側を挟んで位置して水平横梁８２の各々の一端部を支持する第２支柱金具１２の鉛直締結板部３２が、各々の水平取付穴３６が該支柱５６において該所定の高さ位置よりも半ピッチ上方の高さ位置で水平横方向に延在する第２水平取付穴２０の水平横方向両側から整合されてボルト＆ナットＢＮにより共締めされる。更に他の単位支柱ＰＵ３及びＰＵ４において共用される該水平縦梁８０の水平横方向両側に位置する該支持フレーム１４の各々における周縁フレーム４０の１辺である端フレーム４０Ｂは、該水平縦梁８０にボルト＆ナットＢＮにより共締めされる。
【００４１】
水平縦方向に隣り合う更に他の単位支柱ＰＵ４及び他の単位支柱ＰＵ２において、共用される該２個の支柱８及び５２のうち水平横方向の該一方側に位置する支柱５２の水平縦方向両側には、該両側を挟んで位置して水平縦梁８０の各々の一端部を支持する第１支柱金具１０の鉛直締結板部３２が、各々の水平取付穴３６が該支柱５２において該所定の高さ位置で水平縦方向に延在する第１水平取付穴１８の水平縦方向両側から整合されてボルト＆ナットＢＮにより共締めされる。更に他の支柱ＰＵ４及び他の単位支柱ＰＵ２において共用される該水平横梁８２の水平縦方向両側に位置する該支持フレーム１４の各々における周縁フレーム４０の１辺である側フレーム４０Ａは、該水平横梁８２にボルト＆ナットＢＮにより共締めされる。
【００４２】
次に、本発明に従って構成される立体構造物の更に他の実施形態を、図３３を参照して説明する。この立体構造物における単位支柱ＰＵ１において、水平縦方向に対向する支柱２及び６、４及び８の各対の水平縦方向の内側面間には、水平縦梁８０がそれぞれ第１支持金具１０を介して支持される。また水平横方向に対向する支柱２及び４、６及び８の各対の水平横方向の内側面間には、水平横梁８２がそれぞれ第２支持金具１２を介して支持される。そしてそれぞれ２個の水平横梁８０及び水平縦梁８２に囲まれた平面矩形状の空間内には、支持フレーム１４が配置されて支持される。支持フレーム１４の、それぞれ２個の水平横梁８０及び水平縦梁８２の内側に位置する周縁フレーム４０の側フレーム４０Ａ及び端フレーム４０Ｂは、それぞれ２個の水平縦梁８０及び水平横梁８２にボルト＆ナットＢＮにより締結される。先の実施形態におけるのと実質的に同じ如く、支柱５０、５２、５４、５６及び５８を増設することにより、複数個の構成部材を相互に共用する他の単位支柱ＰＵ２、ＰＵ３、ＰＵ４を増設することが可能になる。この立体構造物において、単位支柱ＰＵ１、ＰＵ２、ＰＵ３及びＰＵ４は、相互に実質的に同じ構成を有している。図３３と図３２を比較すると容易に理解されるように、図３３に示す立体構造物は、単位支柱の全てが実質的に同じ構成であるのに対し、図３２に示す立体構造物においては、水平縦方向の他端（図３２において下端）に位置する単位支柱ＰＵ１、ＰＵ２・・・における支持フレーム１４の支持の形態が他の単位支柱ＰＵ３、ＰＵ４・・・における支持フレーム１４の支持の形態と相違している。
【００４３】
図１１〜図１３図、図３２及び図３３を参照して説明した立体構造物によれば、単位支柱ＰＵ１、ＰＵ２、ＰＵ３、ＰＵ４・・・の各々において、水平縦梁８０、水平横梁８２、支持フレーム１４の各々の上面が共通の水平面上に位置付けることができ、しかも単位支柱ＰＵ１をベースとして水平横方向及び水平縦方向に任意に増設することができるので、各単位支柱を構成する支柱２、４、６、８・・・の上面を該水平面上に一致させることにより、所望する面積の水平上面を有する立体構造物を所望のとおりに得ることができる。更に具体的には、例えば図３７に示すコンクリート型枠、図３８及び図３９に示す簡易ステージを構築することができる。図３８に示す簡易ステージは、設置面が平坦ではなくガケ地であるが、長さの異なる支柱とジャッキ手段Ｊの組合せにより水平上面を確保することができる。
【００４４】
図１〜図１０、図３０及び図３１を参照して説明した先の実施形態においては、支柱２、４、６、８、５０及び５２と支持フレーム１４との間に第１、第２、第３及び第４ブレース板７０、７２、７４及び７６が配設されている。本発明においては、これらとは別に、あるいは併用して、単位支柱、代表的には単位支柱ＰＵ１（図１）において、水平横方向に対向する一対の支柱２及び４間又は二対の支柱２及び４、６及び８間に、矩形ブレースユニット９０及び／又はＸ形ブレースユニット１２０を分離可能に固着する他の実施形態、水平縦方向に対向する一対の支柱２及び６間又は二対の支柱２及び６、４及び８間に、矩形ブレースユニット９２及び／又はＸ形ブレースユニット１２２を分離可能に固着する更に他の実施形態、などが提供される。
【００４５】
図１４には、単位支柱ＰＵ１の支柱２及び４間に矩形ブレースユニット９０が固着された実施形態が図示されている。また図１５には、単位支柱ＰＵ１の支柱４及び８間に矩形ブレースユニット９２が固着された実施形態が図示されている。ここでは先ず、矩形ブレースユニット９２について説明する。図１６及び図１７を参照して、金属製の矩形ブレースユニット９２は、水平方向に間隔をおいて上下方向に平行に延在する一対の取付縦フレーム９４と、上下方向に間隔をおいて取付縦フレーム９４の上端部及び下端部間をそれぞれ平行に延在する上横フレーム９６及び下横フレーム９８と、下横フレーム９８の水平方向両端部上面からそれぞれ相互に接近する方向である斜め上方に傾斜して延びて上横フレーム９６の下面に接続される傾斜フレーム１００と、上横フレーム９８の、傾斜フレーム１００の各々が接続された位置の直水平方向中央側から直角に下横フレーム９８まで延びる少なくとも１個の、実施形態においては１個の中間縦フレーム１０２とを備えている。上横フレーム９６、下横フレーム９８、傾斜フレーム１００及び中間縦フレーム１０２は矩形横断面を有する金属管から形成されている。
【００４６】
取付縦フレーム９４の各々は、一定の幅で上下方向に延在する縦長矩形状の底板９４Ａと、底板９４Ａの両側から底板９４Ａの片面方向に相互に直角にかつ平行に延び出す側板９４Ｂとからなるチャンネル板９４ＣＰと、チャンネル板９４ＣＰの底板９４Ａの上下方向両端部中央からそれぞれ底板９４Ａの該片面方向に直角に延び出す係止ピン９４Ｃと、チャンネル板９４ＣＰの側板９４Ｂの各々の上下方向両端部に配設されてチャンネル板９４ＣＰの開放端の一部領域を開閉する開閉機構１０３とを備えている。上横フレーム９６及び下横フレーム９８は、それぞれ取付縦フレーム９４の各々におけるチャンネル板９４ＣＰの側板９４Ｂの一方であって水平方向内側において対向する側板９４Ｂの一方の各々の上端部及び下端部に当接され、溶着されている。取付縦フレーム９４の各々におけるチャンネル板９４ＣＰの側板９４Ｂの各々の間隔は、対応する支柱４及び８に対し水平方向から離脱可能に嵌合しうるよう設定されている。係止ピン９４Ｃの各々は、対応する支柱４及び８の第１水平取付穴１８又は第２水平取付穴２０（図示の実施形態においては第２水平取付穴２０）の１ピッチ又は複数ピッチの間隔を有すると共に第２水平取付穴２０に離脱可能に嵌合しうるよう設定されている。
【００４７】
取付縦フレーム９４の各々におけるチャンネル板９４ＣＰの底板９４Ａに設けられた係止ピン９４Ｃの各々は、側板９４Ｂの各々の先端を越えて延び出している。取付縦フレーム９４の各々に配設された開閉機構１０３は、取付縦フレーム９４の各々におけるチャンネル板９４ＣＰの側板９４Ｂの一方の上下方向両端部から水平方向内側に直角に延び出すフランジ部１０４と、フランジ部１０４に係止ピン９４Ｃと平行な軸１０５回りに回動可能に支持された開閉レバー板１０６と、側板９４Ｂの他方の上下方向両端部から延び出すフック部１０８と、係止ピン９４Ｃの先端部の上面を接線方向に延在する係止溝１１０とを備えている。開閉レバー板１０６は、その下端部が上記係止溝１１０及びフック部１０８に上方から嵌合してチャンネル板９４ＣＰの開放端の一部領域を横切って閉じる閉位置（図１６の右側及び図１７に図示する位置）と、係止溝１１０及びフック部１０８から上方に離脱してチャンネル板９４ＣＰの開放端の該一部領域を開放する開位置（図１６の左側に図示する位置）とに該軸１０４回りに回動可能である。開閉レバー板１０６は、フランジ部１０４に回動可能に支持される基部１０６Ａと、基部１０６Ａから一定の上下方向幅で直線状に延在する開閉部１０６Ｂと、開閉部１０６Ｂの上端から、係止ピン９４Ｃが底板９４Ａから延び出す方向と同じ方向に直角に延び出す把持部１０６Ｃとを備えている。
【００４８】
図１５を参照して、取付縦フレーム９４の各々が対応する支柱４及び８に水平方向外方から嵌合され、係止ピン９４Ｃの各々が対応する第２水平取付穴２０に嵌合され、開閉機構１０３の各々の開閉レバー板１０６が閉位置に位置付けられた状態で、取付縦フレーム９４のチャンネル板９４ＣＰと開閉レバー板１０６とが対応する支柱４及び８の全周を囲むよう位置付けられて、矩形ブレースユニット９２は対応する支柱４及び８に固着される。矩形ブレースユニット９２を対応する支柱４及び８から取り外す場合には、開閉レバー板１０６の各々を閉位置から開位置に回動させて固着状態を解除し、対応する支柱４及び８の水平方向外方に移動させればよい。
【００４９】
矩形ブレースユニット９０（図１４）は、長手方向（水平方向）の長さが矩形ブレースユニット９２（図１５）よりも長く形成されているが、基本的構成は同じである。矩形ブレースユニット９０において、上横フレーム９６及び下横フレーム９８間には、２個の中間縦フレーム１０２と、２個の中間縦フレーム１０２の水平方向中央に位置する中央縦フレーム１１２とを備えている。中間縦フレーム１０２は、中央縦フレーム１１２と取付縦フレーム９４の各々との中間に位置し、傾斜フレーム１００は、下横フレーム９８の水平方向両端部上面からそれぞれ相互に接近する方向である斜め上方に傾斜して延びて、それぞれ対応する中間縦フレーム１０２の水平方向外側位置で上横フレーム９６の下面に接続されるよう配置されている。
【００５０】
図１８には、単位支柱ＰＵ１の支柱２及び４間にＸ形ブレースユニット１２０が固着された実施形態が図示されている。また図１９には、単位支柱ＰＵ１の支柱４及び８間にＸ形ブレースユニット１２２が固着された実施形態が図示されている。ここでは先ず、Ｘ形ブレースユニット１２０について説明する。図１８、図２０〜図２２を参照して、Ｘ形ブレースユニット１２０は、相互に長手方向中央部で軸部材１２４を介して相対回動可能に連結された、同じ長さの金属管からなる２個のロッド部材１２６であって、各々の両端部（先端部）に軸部材１２４と平行な軸線を有する一対の被係止穴１２６Ａが形成された２個のロッド部材１２６と、ロッド部材１２６の各々の先端部に連結された取付ブラケット１２８とを備えている。ロッド部材１２６の各々は円形横断面を有すると共に中央部がそれぞれ一定の厚さを有する板状部１２６Ｂに形成されている。板状部１２６Ｂの中央部の各々の厚さ方向の中心線は、対応するロッド部材１２６の中心線と一致するよう位置付けられている。板状部１２６Ｂの中央部の各々には貫通穴が形成され、板状部の中央部の各々間にはカラー１２７を介して頭付きの該軸部材１２４が相対回動可能にかつ抜け出さないように挿入されている。
【００５１】
ロッド部材１２６の各々の先端部には弾性係止部材１３０が離脱可能に取り付けられている。弾性係止部材１３０の各々は、帯状の板ばね１３０Ａと、板ばね１３０Ａの両端部からそれぞれ同じ片面側に延び出す係止ピン１３０Ｂとを備えかつ、係止ピン１３０Ｂが相互に反対方向に向くように板ばね１３０Ａが中央からＵ形に折り曲げられた状態でロッド部材１２６の各々の先端部に挿入されて係止ピン１３０Ｂの各々が板ばね１３０Ａの弾性力によりロッド部材１２６の各々の被係止穴１２６Ａに半径方向内側から挿入されて外側に突出するよう係止される。
【００５２】
取付ブラケット１２８は、一定の幅で上下方向に延在しかつ取付穴１２８Ｂが形成された縦長矩形状の底板１２８Ａと、底板１２８Ａの両側から底板１２８Ａの片面方向に相互に直角にかつ平行に延び出す側板１２８Ｃとからなるチャンネル形状をなしている。側板１２８Ｃの各々には共通の軸線を有する被係止穴１２８Ｄが形成されている。ロッド部材１２６の各々の先端部が、取付ブラケット１２８の側板１２８Ｃ間に挿入されて、被係止穴１２６Ａの各々から外側に突出する係止ピン１３０Ｂの各々が板ばね１３０Ａの弾性力により側板１２８Ｃの各々の対応する被係止穴１２８Ｄに内側から挿入されて外側に突出するよう係止されることにより、取付ブラケット１２８の各々は、対応するロッド部材１２６の先端部に弾性係止部材１３０を介して相対回動可能にかつ離脱可能に連結される。
【００５３】
取付ブラケット１２８の各々が対応する支柱２及び４の相互に対向する内側から水平方向に嵌合され、底板１２８Ａの取付穴１２８Ｂが対応する第２水平取付穴２０に整合されてボルト＆ナットＢＮにより締結されることにより、Ｘ形ブレースユニット１２０は、２個のロッド部材１２６が軸部材１２４を中心としてＸ形に回動された状態で対応する支柱２及び４に固着される。Ｘ形ブレースユニット１２２は全体の長さが短いことを除いては、Ｘ形ブレースユニット１２０と実質的に同じ構成を有しており、Ｘ形ブレースユニット１２０と同じ如くして対応する支柱４及び８に固着される。
【００５４】
上記説明から明らかなように、矩形ブレースユニット９０及び９２、Ｘ形ブレースユニット１２０及び１２２は、それぞれ支柱２及び４の対、支柱４及び８の対にほぼワンタッチで取り付け及び取り外しすることができるとともに、立体構造物の強度を所要のとおりに確保することに寄与する。図３６に示す観覧席及び図３８に示す簡易ステージには、矩形ブレースユニット９２とＸ形ブレースユニット１２０及び１２２とが備えられている。図３７に示すコンクリート型枠には、Ｘ形ブレースユニット１２０及び１２２が備えられている。
【００５５】
本発明によれば、支柱同士を容易にしかも迅速かつ確実に連結することが可能な連結機構が提供される。図２３及び図２４を参照して、少なくとも１個の支柱、実施形態においては支柱２の上端部には他の支柱２の下端部が、連結手段１４０を介して上方に延在するよう離脱可能に連結される。連結手段１４０は、矩形横断面（実施形態においては正方形横断面）を有する金属製の連結管であって支柱２の上端部と他の支柱２の下端部に分離可能に挿入可能な連結管１４２と、少なくとも２個の固定金具１５０とを備えている。
【００５６】
連結管１４２において、長手方向中央部には、半径方向寸法が拡大された拡径部１４４が全周にわたって一定の長手方向幅で配設されている。拡径部１４４は、支柱２及び他の支柱２の各々に対し、各々の半径方向外側寸法よりわずかに大きい半径方向内側寸法と同等以上の厚みとを有する正方形横断面を有する金属製のカラーを連結管１４２の外周面に嵌合して固着されている。連結管１４２の拡径部１４４を挟んだ上方領域及び下方領域において、相互に対向する第１側面対には、第１水平連結穴１４６が、拡径部１４４の上端１４４Ｕ及び下端１４４Ｌからそれぞれ同じ距離の上方位置及び下方位置に形成されている。上端１４４Ｕ及び下端１４４Ｌは、それぞれ連結管１４２の軸線に直交する平面上に存在する。相互に対向する第２側面対には、第２水平連結穴１４８が、該第１水平連結穴１４６に対しそれぞれ該支柱２及び他の支柱２の各々の第１水平取付穴１８の各々の半ピッチに相当する距離だけ上方及び下方の高さ位置に１個づつ形成される。支柱２の最上端部に形成された第１又は第２水平取付穴（実施形態においては第１水平取付穴１８）と支柱２の上端２Ｕとの距離及び他の支柱２の最下端部に形成された第１又は第２水平取付穴（実施形態においては第１水平取付穴１８）と他の支柱２の下端２Ｌとの距離は、それぞれ連結管１４２の拡径部１４４を挟んだ下方領域及び上方領域に形成された第１水平連結穴１４６の各々と拡径部１４４の下端１４４Ｌ及び上端１４４Ｕとの距離と同じに設定されている。
【００５７】
図２６を参照して、固定金具１５０は、矩形状の底板１５０Ａと底板１５０Ａの両側から底板１５０Ａの片面方向に相互に直角にかつ平行に延び出す側板１５０Ｂとからなるチャンネル板１５０ＣＰと、底板１５０Ａの中央部からそれぞれ底板１５０Ａの該片面方向に直角に延び出すロックピン１５０Ｃと、側板１５０Ｂの各々の先端部に配設されてチャンネル板１５０ＣＰの開放端の一部領域を開閉する開閉機構１５２とを備えている。側板１５０Ｂの各々の間隔は、対応する支柱２に対し水平方向から離脱可能に嵌合しうるよう設定されている。側板１５０Ｂの一方の全長（延び出す長さ）は側板１５０Ｂの他方の全長よりも短く形成され、ロックピン１５０Ｃは、少なくとも側板１５０Ｂの他方と同じ長さに設定されている。
【００５８】
開閉機構１５２は、チャンネル板１５０ＣＰの側板１５０Ｂの一方から側板１５０Ｂの他方と反対方向に直角に延び出すフランジ部１５４と、フランジ部１５４にロックピン１５０Ｃと平行な軸１５５回りに回動可能に支持された開閉レバー板１５６と、側板１５０Ｂの他方の先端部における上端から下端に向かって延在する側板係止溝１５７と、ロックピン１５０Ｃの先端部の上面を接線方向に延在するロックピン係止溝１５８とを備えている。開閉レバー板１５６は、その下端部がロックピン係止溝１５８及び側板係止溝１５７に上方から嵌合してチャンネル板１５０ＣＰの開放端の一部領域を横切って閉じる閉位置（図２３及び図２６に示される位置）と、ロックピン係止溝１５８及び側板係止溝１５７から上方に離脱してチャンネル板１５０ＣＰの開放端の一部領域を開放する開位置（不図示）とに該軸１５５回りに回動可能である。
【００５９】
図２３及び図２４を参照して、支柱２と他の支柱２との連結は次のようにして行なわれる。すなわち、支柱２の上端部に連結手段１４０の連結管１４２の下方領域が挿入され、拡径部１４４の下端１４４Ｌが支柱２の上端２Ｕに当接して挿入位置が設定される。更に、連結管１４２の下方領域に形成された第１水平連結穴１４６が、支柱２の上端部の第１水平取付穴１８に整合されかつ、第２水平連結穴１４８が、支柱２の該第１水平取付穴１８の直下方の高さ位置に形成された第２水平連結穴２０に整合される。他方、連結管１４２の上方領域に他の支柱２の下端部が挿入されて下端２Ｌが連結管１４２の拡径部１４４の上端１４４Ｕに当接して挿入位置が設定される。更に、他の支柱２の下端部に形成された第１水平取付穴１８が連結管１４２の上方領域に形成された第１水平連結穴１４６に整合されかつ、他の支柱２の該第１水平取付穴１８の直上方の高さ位置に形成された第２水平取付穴２０が連結管１４２の上方領域に形成された第２水平取付穴１４８に整合される。
【００６０】
固定金具１５０の各々は、チャンネル板１５０ＣＰが支柱２の最上端部及び他の支柱２の最下端部に嵌合され、ロックピン１５０Ｃが対応する第１水平取付穴１８及び第１水平連結穴１４６に嵌合され、開閉機構１５０の各々の開閉レバー板１５６が閉位置に位置付けられた状態（図２３）で、チャンネル板１５０ＣＰと開閉レバー板１５６とが支柱２の上端部及び他の支柱２の下端部における全周を囲むよう位置付けられて固定され、支柱２と他の支柱２とが連結手段１４０を介して連結される（図２３）。固定金具１５０を更に２個使用して、チャンネル板１５０ＣＰを支柱２の上端部及び他の支柱２の下端部に嵌合し、ロックピン１５０Ｃを対応する第２水平取付穴２０及び第２水平連結穴１４８に嵌合させ、開閉機構１５０の各々の開閉レバー板１５６を閉位置に位置付けることにより、支柱２と他の支柱２とを連結手段１４０を介してより強固に連結することができる。本発明によれば、立体構造物の支柱２、４、６、８・・・の各々同士を、それぞれワンタッチで迅速かつ確実に連結することが可能である（もちろん連結解除もきわめて容易かつ迅速に遂行可能である）。
【００６１】
本発明によれば、立体構造物の支柱の高さを容易にしかも迅速かつ確実に調整することが可能な連結機構の他の実施形態が提供される。図２５を参照して、少なくとも１個の支柱、実施形態において１個の支柱２の下端部が、矩形横断面を有する金属管からなる補助支柱１６０に上方から嵌合されて少なくとも２個の固定金具１５０を介して分離可能に連結される。補助支柱１６０の横断面の大きさは、該支柱２の内側に相対的に挿入・嵌合される大きさに設定されているが、該支柱２の外面を覆うよう相対的に嵌合される大きさに設定される他の実施形態もある。補助支柱１６０の相互に対向する第１側面対には第１水平連結穴１６２が、また相互に対向する第２側面対には第２水平連結穴１６４が、それぞれ支柱２の第１水平取付穴１８及び第２水平取付穴２０に整合するよう形成されている。補助支柱１６０は支柱２に対し短く形成されている。実施形態において、補助支柱１６０の下端部は、基板１６６を含むジャッキ手段Ｊが配設されている。支柱２及び補助支柱１６０は、ジャッキ手段Ｊの基板１６６を介して設置面上に載置される、又は固定される。ジャッキ手段Ｊは、基板１６６と、基板１６６に固着されて基板１６６の上面から直立する雄ねじ部材１６８と、補助支柱１６０の下端に固着されかつ雄ねじ部材１６８にねじ係合される雌ねじ部材１７０とを備えている。
【００６２】
支柱２の下端部が補助支柱１６０に上方から嵌合されかつ支柱２の第１水平取付穴１８が補助支柱１６０の第１水平連結穴１６２に、また支柱２の第２水平取付穴２０が補助支柱１６０の第２水平連結穴１６４に整合された状態で、固定金具１５０の各々は、チャンネル板１５０ＣＰが相互に嵌合された支柱２又は補助支柱１６０、実施形態においては支柱２に嵌合される。そして、各々のロックピン１５０Ｃが相互に整合された第１水平取付穴１８及び第１水平連結穴１６２、第２水平取付穴２０及び第２水平連結穴１６４に嵌合され、開閉機構１５２の各々の開閉レバー板１５６が閉位置に位置付けられた状態で、チャンネル板１５０ＣＰと開閉レバー板１５６とが相互に嵌合された支柱２の全周を囲むよう位置付けられて固定される。このようにして、支柱２と補助支柱１６０とが固定金具１５０の各々を介して連結される。支柱２の高さは、補助支柱１６０及びジャッキ手段Ｊにより調整される。
【００６３】
本発明に係る立体構造物においては、必要に応じて手すりが配設される。図２７、図２８及び図３５を参照して、水平横方向に間隔を置いて対向する一対の支柱２及び４間、６及び８間及び／又は、水平縦方向に間隔を置いて対向する一対の支柱２及び６間、４及び８間（不図示）には、少なくとも１個の手すり１８０が分離可能に取り付けられている。手すり１８０は、円形横断面を有する管からなるロッド１８２と、ロッド１８２の両端に固着された取付チャンネル部材１８４とを備えている。取付チャンネル部材１８４の各々は、矩形状の底板１８４Ａと底板１８４Ａの両側から底板１８４Ａの片面方向に相互に直角にかつ平行に延び出す側板１８４Ｂとからなる。取付チャンネル部材１８４の各々における底板１８４Ａの下端部の背面がそれぞれロッド１８２の両端に対し直角に溶着される。底板１８４Ａの各々の上端部であってロッド１８２の外周面に対し半径方向外方に位置する上端部には取付穴１８４Ｃが形成されている。手すり１８０は、該支柱２及び４の各々の相互に対向する内側から取付チャンネル部材１８４が嵌合されかつ、底板１８４Ａの各々の取付穴１８４Ｃが支柱２及び４の第１水平取付穴１８又は第２水平取付穴２０（図示の実施形態）に整合された状態でボルト＆ナットＢＮにより締結される。このように、本願発明に係る立体構造物において手すり１８０も対応する支柱間にワンタッチで離脱可能に取り付けられる。図３６に示す簡易観覧席においては、手すり１８０が背もたれ兼用で配設されている。
【符号の説明】
【００６４】
２、４、６、８：支柱
１０：第１の支持金具
１２：第２の支持金具
１４：支持フレーム
１８：第１水平取付穴
２０：第２水平取付穴
３２：鉛直締結板部
３４：鉛直支持ピン
４０：周縁フレーム
４２：鉛直被支持穴
【図１】
2012012773.tif 000003
【図２】
2012012773.tif 000004
【図３】
2012012773.tif 000005
【図４】
2012012773.tif 000006
【図５】
2012012773.tif 000007
【図６】
2012012773.tif 000008
【図７】
2012012773.tif 000009
【図８】
2012012773.tif 000010
【図９】
2012012773.tif 000011
【図１０】
2012012773.tif 000012
【図１１】
2012012773.tif 000013
【図１２】
2012012773.tif 000014
【図１３】
2012012773.tif 000015
【図１４】
2012012773.tif 000016
【図１５】
2012012773.tif 000017
【図１６】
2012012773.tif 000018
【図１７】
2012012773.tif 000019
【図１８】
2012012773.tif 000020
【図１９】
2012012773.tif 000021
【図２０】
2012012773.tif 000022
【図２１】
2012012773.tif 000023
【図２２】
2012012773.tif 000024
【図２３】
2012012773.tif 000025
【図２４】
2012012773.tif 000026
【図２５】
2012012773.tif 000027
【図２６】
2012012773.tif 000028
【図２７】
2012012773.tif 000029
【図２８】
2012012773.tif 000030
【図２９】
2012012773.tif 000031
【図３０】
2012012773.tif 000032
【図３１】
2012012773.tif 000033
【図３２】
2012012773.tif 000034
【図３３】
2012012773.tif 000035
【図３４】
2012012773.tif 000036
【図３５】
2012012773.tif 000037
【図３６】
2012012773.tif 000038
【図３７】
2012012773.tif 000039
【図３８】
2012012773.tif 000040
【図３９】
2012012773.tif 000041